(57)【要約】  一連の撮像動画における一部の動画部分をユーザに配信するシステムにおいて、動画部分の範囲修正を容易化して動画撮像関係者の負担軽減を図る。  本技術に係る情報処理装置は、撮像装置による撮像動画における一部の範囲を、ユーザへの配信対象となる動画部分として指定するイン点及びアウト点の情報を取得する情報取得部と、情報取得部が取得したイン点及びアウト点の情報と撮像動画とを外部装置に対して送信させる送信制御部とを備える。
2018159054.tif 000002
【特許請求の範囲】
【請求項１】
撮像装置による撮像動画における一部の範囲を、ユーザへの配信対象となる動画部分として指定するイン点及びアウト点の情報を取得する情報取得部と、
前記情報取得部が取得した前記イン点及びアウト点の情報と前記撮像動画とを外部装置に対して送信させる送信制御部と、を備える
情報処理装置。
【請求項２】
前記送信制御部は、
前記撮像動画として、複数の撮像装置による複数の撮像動画を前記外部装置に対して送信させる
請求項１に記載の情報処理装置。
【請求項３】
前記送信制御部は、
前記動画部分と、前記動画部分を識別するための動画部分識別情報とを対応付けて前記外部装置に対して送信させる
請求項１に記載の情報処理装置。
【請求項４】
前記情報取得部は、
前記動画部分の配信対象者を識別するための対象者識別情報を取得し、
前記送信制御部は、
前記動画部分識別情報と前記対象者識別情報とを対応付けて前記外部装置に対して送信させる
請求項３に記載の情報処理装置。
【請求項５】
前記情報取得部は、
前記イン点及びアウト点の情報として、前記撮像動画における異なる複数の前記動画部分をそれぞれ指定する複数組の前記イン点及びアウト点の情報を取得すると共に、前記動画部分ごとの前記対象者識別情報を取得し、
前記送信制御部は、
前記対象者識別情報が取得された前記動画部分ごとに、前記動画部分識別情報と前記対象者識別情報とを対応付けて前記外部装置に対して送信させる
請求項４に記載の情報処理装置。
【請求項６】
前記撮像動画中における前記動画部分の時間軸上での位置を表す視覚情報と、前記撮像動画中の時間軸上の位置を指示するためのポインタと、前記ポインタが指示する位置を前記イン点の位置として指示するためのイン点指示操作子と、前記ポインタが指示する位置を前記アウト点の位置として指示するためのアウト点指示操作子とを画面上に表示させる情報表示制御部を備え、
前記情報表示制御部は、
前記視覚情報における前記動画部分を表す表示領域のうち前記イン点に近い領域と前記アウト点に近い領域とで表示態様を異ならせると共に、前記イン点に近い領域と前記イン点指示操作子の表示態様と、前記アウト点に近い領域と前記アウト点指示操作子の表示態様をそれぞれ一致させる
請求項１に記載の情報処理装置。
【請求項７】
前記撮像動画に対する前記アウト点の指示が行われたことに応じて、当該指示されたアウト点に対応する前記動画部分についての購入情報入力フォームの生成指示を行う入力フォーム生成指示部を備える
請求項１に記載の情報処理装置。
【請求項８】
撮像装置による撮像動画における一部の範囲を、ユーザへの配信対象となる動画部分として指定するイン点及びアウト点の情報を取得する情報取得ステップと、
前記情報取得ステップが取得した前記イン点及びアウト点の情報と前記撮像動画とを外部装置に対して送信させる送信制御ステップと、
を情報処理装置が実行する
情報処理方法。
【請求項９】
撮像装置による撮像動画における一部の範囲を、ユーザへの配信対象となる動画部分として指定するイン点及びアウト点の情報を取得する情報取得機能と、
前記情報取得機能が取得した前記イン点及びアウト点の情報と前記撮像動画とを外部装置に対して送信させる送信制御機能と、
を情報処理装置に実現させる
プログラム。
【請求項１０】
異なる撮像視点から被写体を撮像した複数の撮像動画に基づいて撮像視点が経時的に切り替えられる一つの視点切替動画を生成するための指示として、前記撮像視点の切替間隔の指示を受け付ける指示受付部と、
前記切替間隔により区分される前記視点切替動画の各動画区間に用いるべき動画を前記複数の撮像動画のうちからランダムに選択するランダム選択部と、を備える
情報処理装置。
【請求項１１】
前記指示受付部は、
前記視点切替動画として生成すべき動画の全体時間長の指示を受け付けると共に、
指示された前記全体時間長に基づいて計算した前記切替間隔の情報をユーザに提示する
請求項１０に記載の情報処理装置。
【請求項１２】
前記撮像動画には音情報が付帯され、
前記指示受付部は、
前記音情報の音特性に基づいて計算した前記切替間隔の情報をユーザに提示する
請求項１０に記載の情報処理装置。
【請求項１３】
前記ランダム選択部は、
前記視点切替動画の各動画区間に用いるべき動画の少なくとも一つとして前記撮像動画の一部の画素領域を拡大した拡大動画を選択する
請求項１０に記載の情報処理装置。
【請求項１４】
前記ランダム選択部は、
前記視点切替動画の各動画区間に用いるべき動画として前記拡大動画を用いるか否かをランダムに選択する
請求項１３に記載の情報処理装置。
【請求項１５】
前記指示受付部は、
前記ランダム選択部による前記選択の再実行指示の受け付けを行う
請求項１０に記載の情報処理装置。
【請求項１６】
前記指示受付部は、
前記複数の撮像動画以外の動画を指定する指示を受け付け、
前記指示された動画と前記ランダム選択部による選択結果とが外部装置に送信されるように制御する動画送信制御部を備える
請求項１０に記載の情報処理装置。
【請求項１７】
被写体を撮像する撮像部を備え、
前記指示受付部は、
前記撮像部により撮像された動画のうちから前記視点切替動画に連結されるべき動画の指定指示を受け付ける
請求項１６に記載の情報処理装置。
【請求項１８】
外部装置からデータ軽量化処理の施された前記複数の撮像動画を取得する撮像動画取得部と、
前記データ軽量化処理の施された前記複数の撮像動画に基づき、前記ランダム選択部による選択結果に従った前記視点切替動画の表示制御を行う動画表示制御部と、を備える
請求項１０に記載の情報処理装置。
【請求項１９】
異なる撮像視点から被写体を撮像した複数の撮像動画に基づいて撮像視点が経時的に切り替えられる一つの視点切替動画を生成するための指示として、前記撮像視点の切替間隔の指示を受け付ける指示受付ステップと、
前記切替間隔により区分される前記視点切替動画の各動画区間に用いるべき動画を前記複数の撮像動画のうちからランダムに選択するランダム選択ステップと、
を情報処理装置が実行する
情報処理方法。
【請求項２０】
異なる撮像視点から被写体を撮像した複数の撮像動画に基づいて撮像視点が経時的に切り替えられる一つの視点切替動画を生成するための指示として、前記撮像視点の切替間隔の指示を受け付ける指示受付機能と、
前記切替間隔により区分される前記視点切替動画の各動画区間に用いるべき動画を前記複数の撮像動画のうちからランダムに選択するランダム選択機能と、
を情報処理装置に実現させる
プログラム。
【発明の詳細な説明】
【技術分野】
【０００１】
本技術は、情報処理装置、情報処理方法、及びプログラムに関するものであり、特には、複数の撮像装置による複数の撮像動画それぞれの一部がユーザへの配信対象動画とされる場合に好適な技術に関する。
【背景技術】
【０００２】
例えば、下記特許文献１、２に記載されるように、動画の一部を切り出す編集にイン点、アウト点が用いられる。例えば、編集対象の動画（素材動画）について、イン点からアウト点までの範囲以外の動画を削除し、該範囲内の動画部分のみを切り出すという編集が行われる。【０００３】
なお、関連する従来技術については例えば下記特許文献を挙げることができる。
【先行技術文献】
【特許文献】
【０００４】
【特許文献１】特開２００５−２６７６７７号公報
【特許文献２】特開２００４−１０４４６８号公報
【発明の概要】
【発明が解決しようとする課題】
【０００５】
ここで、動画配信サービスの一つとして、例えばライブハウス等の所定の撮像環境にて出演者を撮像し、該撮像により得られた動画をサーバ装置から出演者に配信することが考えられる。
例えば、ライブハウスでの演奏イベントは、所定のタイムスケジュールに従って複数の出演者が順次演奏を行っていく形態が採られる場合が多い。個々の出演者は、自身の演奏動画を所要の動画投稿サイトにアップロードして自身のプロモーション等を行うことが考えられる。そこで、演奏イベント全体を撮像し、撮像動画中から個々の出演者の演奏部分を切り出し、切り出した個々の動画部分を対応する出演者の端末に配信するというサービスを展開することが考えられる。【０００６】
上記のような配信サービスを実現する上では、撮像環境側に設けられた端末装置において個々の出演者の演奏部分ごとにイン点、アウト点の設定を行い、それらイン点、アウト点に従った切り出し後の動画部分をサーバ装置に対して送信することが考えられる。【０００７】
しかしながら、切り出し後の動画部分をサーバ装置に送信した場合には、後から動画部分の範囲を修正することが困難となる。例えば、或る出演者についてイン点やアウト点の設定を誤り演奏部分の一部が欠けてしまっていても、既に切り出しが完了した状態の動画部分をサーバ装置に送信してしまっているためその修正は困難となる。
この場合には、最悪、撮像のやり直しを行うことも考えられ、出演者を始めとした動画撮像関係者に大きな負担を強いることになる。【０００８】
また、上記のようなサービスにおいて、出演者への動画配信としては、出演者による編集が可能となるように行うことも考えられる。特に、出演者が自身のプロモーション動画を作成したい場合には、それなりに見栄えがする動画の作成が望ましいため、編集機能を付加することは有効である。【０００９】
しかしながら、動画の見栄えを優先して編集の自由度を高め過ぎてしまうと、編集作業に係るユーザ負担が増大してしまい、利便性が損なわれ、返って編集機能の利用促進を図ることが困難となる。【００１０】
本技術は上記の事情に鑑み為されたものであり、第一に、一連の撮像動画における一部の動画部分をユーザに配信するシステムにおいて、動画部分の範囲修正を容易化して動画撮像関係者の負担軽減を図ることを目的とする。
また、本技術は、第二に、編集動画の見栄えの低下防止を図りながら編集に係るユーザ負担の軽減を図り、編集機能の利用促進を図ることを目的とする。
【課題を解決するための手段】
【００１１】
本技術に係る第一の情報処理装置は、撮像装置による撮像動画における一部の動画部分の範囲を指定するイン点及びアウト点の情報を取得する情報取得部と、前記イン点及びアウト点から特定される前記動画部分がユーザへの配信対象動画として管理されるように、前記情報取得部が取得した前記イン点及びアウト点の情報と前記撮像動画とについての外部装置に対する送信制御を行う送信制御部と、を備えるものである。【００１２】
上記のように撮像動画とイン点及びアウト点の情報が外部装置に送信されるようにしたことで、仮にイン点又はアウト点が誤った位置に設定されていたとしても、正しい動画範囲に修正を行うことが可能とされる。すなわち、イン点、アウト点の設定を誤ったことに伴い撮像のやり直しが発生してしまうことの防止が図られる。【００１３】
上記した本技術に係る第一の情報処理装置においては、前記送信制御部は、前記撮像動画として、複数の撮像装置による複数の撮像動画を前記外部装置に対して送信させることが望ましい。【００１４】
これにより、視点切替動画を配信するシステムを実現可能とされる。【００１５】
上記した本技術に係る第一の情報処理装置においては、前記送信制御部は、前記動画部分と、前記動画部分を識別するための動画部分識別情報とを対応付けて前記外部装置に対して送信させることが望ましい。【００１６】
これにより、外部装置における動画部分の管理が容易化される。【００１７】
上記した本技術に係る第一の情報処理装置においては、前記情報取得部は、前記動画部分の配信対象者を識別するための対象者識別情報を取得し、前記送信制御部は、前記動画部分識別情報と前記対象者識別情報とを対応付けて前記外部装置に対して送信させることが望ましい。【００１８】
これにより、外部装置において動画部分と配信対象者との対応関係を管理することが可能とされる。【００１９】
上記した本技術に係る第一の情報処理装置においては、前記情報取得部は、前記イン点及びアウト点の情報として、前記撮像動画における異なる複数の前記動画部分をそれぞれ指定する複数組の前記イン点及びアウト点の情報を取得すると共に、前記動画部分ごとの前記対象者識別情報を取得し、前記送信制御部は、前記対象者識別情報が取得された前記動画部分ごとに、前記動画部分識別情報と前記対象者識別情報とを対応付けて前記外部装置に対して送信させることが望ましい。【００２０】
これにより、各動画部分は、それぞれ異なる対象者識別情報（ユーザ識別情報）が対応付けられて外部装置に送信される。【００２１】
上記した本技術に係る第一の情報処理装置においては、前記撮像動画中における前記動画部分の時間軸上での位置を表す視覚情報と、前記撮像動画中の時間軸上の位置を指示するためのポインタと、前記ポインタが指示する位置を前記イン点の位置として指示するためのイン点指示操作子と、前記ポインタが指示する位置を前記アウト点の位置として指示するためのアウト点指示操作子とを画面上に表示させる情報表示制御部を備え、前記情報表示制御部は、前記視覚情報における前記動画部分を表す表示領域のうち前記イン点に近い領域と前記アウト点に近い領域とで表示態様を異ならせると共に、前記イン点に近い領域と前記イン点指示操作子の表示態様と、前記アウト点に近い領域と前記アウト点指示操作子の表示態様をそれぞれ一致させることが望ましい。【００２２】
これにより、イン点、アウト点の修正操作を行う際に、イン点に近い領域の付近にポインタを位置させた際にはイン点指示操作子を操作すべきこと、及びアウト点に近い領域の付近にポインタを位置させた際にはアウト点指示操作子を操作すべきことを明確に表すことが可能とされる。【００２３】
上記した本技術に係る第一の情報処理装置においては、前記撮像動画に対する前記アウト点の指示が行われたことに応じて、当該指示されたアウト点に対応する前記動画部分についての購入情報入力フォームの生成指示を行う入力フォーム生成指示部を備えることが望ましい。【００２４】
これにより、撮像動画の録画が終了する前であっても、購入情報入力フォームが生成されてユーザが動画部分の購入手続を行うことが可能とされる。【００２５】
また、本技術に係る第一の情報処理方法は、撮像装置による撮像動画における一部の範囲を、ユーザへの配信対象となる動画部分として指定するイン点及びアウト点の情報を取得する情報取得ステップと、前記情報取得ステップが取得した前記イン点及びアウト点の情報と前記撮像動画とを外部装置に対して送信させる送信制御ステップと、を情報処理装置が実行するものである。
このような情報処理方法によっても、上記した本技術に係る第一の情報処理装置と同様の作用が得られる。【００２６】
さらに、本技術に係る第一のプログラムは、上記第一の情報処理方法として実行する処理をコンピュータ装置に実行させるプログラムである。
このプログラムにより上記第一の情報処理装置を実現する。【００２７】
本技術に係る第二の情報処理装置は、異なる撮像視点から被写体を撮像した複数の撮像動画に基づいて撮像視点が経時的に切り替えられる一つの視点切替動画を生成するための指示として、前記撮像視点の切替間隔の指示を受け付ける指示受付部と、前記切替間隔により区分される前記視点切替動画の各動画区間に用いるべき動画を前記複数の撮像動画のうちからランダムに選択するランダム選択部と、を備えるものである。【００２８】
上記構成によれば、ユーザが少なくとも撮像視点の切替間隔を指示するだけで、撮像視点が経時的にランダムに切り替えられる視点切替動画が生成される。【００２９】
上記した本技術に係る第二の情報処理装置においては、前記指示受付部は、前記視点切替動画として生成すべき動画の全体時間長の指示を受け付けると共に、指示された前記全体時間長に基づいて計算した前記切替間隔の情報をユーザに提示することが望ましい。【００３０】
これにより、視点切替動画の時間長に応じた適切とされる視点切替間隔をユーザに提示することが可能とされる。【００３１】
上記した本技術に係る第二の情報処理装置においては、前記撮像動画には音情報が付帯され、前記指示受付部は、前記音情報の音特性に基づいて計算した前記切替間隔の情報をユーザに提示することが望ましい。【００３２】
これにより、視点切替動画と共に再生される音情報の音特性に応じた適切とされる視点切替間隔をユーザに提示することができる。【００３３】
上記した本技術に係る第二の情報処理装置においては、前記ランダム選択部は、前記視点切替動画の各動画区間に用いるべき動画の少なくとも一つとして前記撮像動画の一部の画素領域を拡大した拡大動画を選択することが望ましい。【００３４】
これにより、切替可能な視点数を増加させることができる。【００３５】
上記した本技術に係る第二の情報処理装置においては、前記ランダム選択部は、前記視点切替動画の各動画区間に用いるべき動画として前記拡大動画を用いるか否かをランダムに選択することが望ましい。【００３６】
これにより、撮像視点の切り替えのランダム性が増す。【００３７】
上記した本技術に係る第二の情報処理装置においては、前記指示受付部は、前記ランダム選択部による前記選択の再実行指示の受け付けを行うことが望ましい。【００３８】
各動画区間に用いるべき動画のランダムな選択が実行し直されることで、ユーザの意図に沿った視点切替動画に生成し直すことが可能とされる。【００３９】
上記した本技術に係る第二の情報処理装置においては、前記指示受付部は、前記複数の撮像動画以外の動画を指定する指示を受け付け、前記指示された動画と前記ランダム選択部による選択結果とが外部装置に送信されるように制御する動画送信制御部を備えることが望ましい。【００４０】
これにより、視点切替動画に対して任意の動画を連結させた動画を外部装置に生成させることが可能とされる。【００４１】
上記した本技術に係る第二の情報処理装置においては、被写体を撮像する撮像部を備え、前記指示受付部は、前記撮像部により撮像された動画のうちから前記視点切替動画に連結されるべき動画の指定指示を受け付けることが望ましい。【００４２】
これにより、視点切替動画に任意動画を連結させた動画を得るにあたり、ユーザは、連結対象動画を例えばスマートフォン等のカメラ付き携帯端末を用いて手軽に得ることが可能とされる。【００４３】
上記した本技術に係る第二の情報処理装置においては、外部装置からデータ軽量化処理の施された前記複数の撮像動画を取得する撮像動画取得部と、前記データ軽量化処理の施された前記複数の撮像動画に基づき、前記ランダム選択部による選択結果に従った前記視点切替動画の表示制御を行う動画表示制御部と、を備えることが望ましい。【００４４】
これにより、情報処理装置における視点切替動画の表示に係る処理負担の軽減が図られる。【００４５】
また、本技術に係る第二の情報処理方法は、異なる撮像視点から被写体を撮像した複数の撮像動画に基づいて撮像視点が経時的に切り替えられる一つの視点切替動画を生成するための指示として、前記撮像視点の切替間隔の指示を受け付ける指示受付ステップと、前記切替間隔により区分される前記視点切替動画の各動画区間に用いるべき動画を前記複数の撮像動画のうちからランダムに選択するランダム選択ステップと、を情報処理装置が実行するものである。
このような情報処理方法によっても、上記した本技術に係る第二の情報処理装置と同様の作用が得られる。【００４６】
さらに、本技術に係る第二のプログラムは、上記第二の情報処理方法として実行する処理をコンピュータ装置に実行させるプログラムである。
このプログラムにより上記第二の情報処理装置を実現する。
【発明の効果】
【００４７】
本技術によれば、第一に、一連の撮像動画における一部の動画部分をユーザに配信するシステムにおいて、動画部分の範囲修正を容易化して動画撮像関係者の負担軽減を図ることができる。
また、本技術によれば、第二に、編集動画の見栄えの低下防止を図りながら編集に係るユーザ負担の軽減を図り、編集機能の利用促進を図ることができる。
なお、ここに記載された効果は必ずしも限定されるものではなく、本開示中に記載されたいずれかの効果であってもよい。
【図面の簡単な説明】
【００４８】
【図１】実施形態で前提とする動画配信システムの例を示した図である。
【図２】撮像装置による撮像動作の開始指示操作、及び初期チャプタマークの指示入力操作に係る画面遷移の説明図である。
【図３】チャプタマークの修正操作、及び撮像動画のアップロード操作に係る画面遷移についての説明図である。
【図４】撮像動画の購入受付に係る動作について説明図である。
【図５】購入情報入力フォームの生成タイミングについての説明図である。
【図６】視点切替動画の購入が行われた場合における撮像動画の変遷の様子を模式的に示した図である。
【図７】実施形態におけるコンピュータ装置のハードウェア構成を示したブロック図である。
【図８】制御端末が実現する第一実施形態としての各種機能について説明するための機能ブロック図である。
【図９】初期チャプタマークとしてのイン点及びアウト点の指示操作受付に係る処理を示したフローチャートである。
【図１０】初期チャプタマークの修正操作受付に係る処理を示したフローチャートである。
【図１１】ライブＩＤと動画部分ＩＤの生成に係る処理を示したフローチャートである。
【図１２】動画部分の購入情報入力受付に係る処理を示したフローチャートである。
【図１３】実施形態におけるサーバ装置が実行する処理を示したフローチャートである。
【図１４】視点切替動画を生成する際の動画編集に係る画面例を示した図である。
【図１５】ユーザ端末が実現する第一実施形態としての各種機能について説明するための機能ブロック図である。
【図１６】撮像視点の切替周期（視点切替周期）と視点切替動画における動画区間との関係を模式的に表した図である。
【図１７】図２０と共に第一実施形態としてのユーザ端末が実行すべき処理を示すフローチャートである。
【図１８】第一実施形態における入力操作に応じた処理（Ｓ５０４）を説明するためのフローチャートである。
【図１９】第一実施形態における入力情報に応じた視点切替動画の生成処理（Ｓ５０６）の例を示したフローチャートである。
【図２０】図１７と共に第一実施形態としてのユーザ端末が実行すべき処理を示すフローチャートである。
【図２１】第二実施形態としてのユーザ端末が行うべき処理を示したフローチャートである。
【図２２】拡大動画についての説明図である。
【図２３】第三実施形態としてのユーザ端末が行うべき処理を示したフローチャートである。
【図２４】追加動画の指示操作に係る画面表示の例を示した図である。
【図２５】図２６と共に第四実施形態としてのユーザ端末が実行すべき処理を示すフローチャートである。
【図２６】図２５と共に第四実施形態としてのユーザ端末が実行すべき処理を示すフローチャートである。
【図２７】手術室システムの全体構成を概略的に示す図である。
【図２８】集中操作パネルにおける操作画面の表示例を示す図である。
【図２９】手術室システムが適用された手術の様子の一例を示す図である。
【図３０】図２９に示すカメラヘッド及びＣＣＵの機能構成の一例を示すブロック図である。
【図３１】車両制御システムの概略的な構成の一例を示すブロック図である。
【図３２】車外情報検出部及び撮像部の設置位置の一例を示す説明図である。
【発明を実施するための形態】
【００４９】
以下、添付図面を参照し、本技術に係る実施形態を次の順序で説明する。
＜１．第一実施形態＞
［1-1．動画配信システムの構成概要］
［1-2．動画配信システムの動作概要］
［1-3．コンピュータ装置のハードウェア構成］
［1-4．制御端末の機能］
［1-5．制御端末、撮像管理端末、及びサーバ装置の処理］
［1-6．視点切替動画の生成］
［1-7．ユーザ端末の機能］
［1-8．ユーザ端末の処理］
［1-9．第一実施形態のまとめ］
＜２．第二実施形態＞
［2-1．ユーザ端末の機能］
［2-2．ユーザ端末の処理］
［2-3．第二実施形態のまとめ］
＜３．第三実施形態＞
［3-1．ユーザ端末の機能］
［3-2．ユーザ端末の処理］
［3-3．第三実施形態のまとめ］
＜４．第四実施形態＞
［4-1．ユーザ端末の機能］
［4-2．ユーザ端末の処理］
［4-3．第四実施形態のまとめ］
＜５．プログラム＞
＜６．変形例＞
＜７．第一応用例＞
＜８．第二応用例＞
＜９．本技術＞
【００５０】
＜１．第一実施形態＞
［1-1．動画配信システムの構成概要］
図１に、本実施形態で前提とする動画配信システムの例を示す。
動画配信システムは、イベント会場Ｓｉに設けられた制御端末１を始めとした各装置と、サーバ装置９とユーザ端末１０とを少なくとも備えている。サーバ装置９とユーザ端末１０は、コンピュータを備えた装置とされ、例えばインターネットとされたネットワーク８を介して互いにデータ通信を行うことが可能とされている。
【００５１】
イベント会場Ｓｉは、本例ではライブハウスとされる。図示は省略したが、ライブハウスとしてのイベント会場Ｓｉには、出演者が演奏や歌唱を行う場としてのステージと、観客等がステージ上の出演者を観覧する場としての観覧スペースとが少なくとも設けられている。
【００５２】
イベント会場Ｓｉには、上記した制御端末１と共に、複数の撮像装置２と、撮像装置２ごとに設けられた中継器３と、ルータ装置４と、撮像管理端末５と、ストレージ装置６と、回線終端装置７とが設けられている。
【００５３】
各撮像装置２は、動画撮像が可能なカメラ装置として構成されている。撮像装置２はマイクロフォンを備え、該マイクロフォンによる集音信号に基づく音情報を付帯させた撮像動画を生成することが可能とされている。
本例のイベント会場Ｓｉでは、撮像装置２は少なくとも三つ設けられ、それぞれがステージ上を撮像可能な位置に設置されている。三つの撮像装置２はそれぞれ撮像視点が異なり、うち一つはステージ正面、他の一つはステージ正面よりも右側、残り一つはステージ正面よりも左側に設置され、ステージ上の出演者をそれぞれ正面アングル、右側アングル、左側アングルにより撮像することが可能とされている。
以下、正面アングルとしての撮像視点により撮像を行う撮像装置２を「第一カメラ」、右側アングルとしての撮像視点により撮像を行う撮像装置２を「第二カメラ」、左側アングルとしての撮像視点により撮像を行う撮像装置２を「第三カメラ」と表記する。
【００５４】
ルータ装置４は、例えば無線ＬＡＮ（Local Area Network）ルータとして構成され、イベント会場Ｓｉに構築されたＬＡＮ内の各装置間での通信を可能としたり、該ＬＡＮに接続された装置と外部装置とのネットワーク８を介した通信を可能とする機能を有している。本例のルータ装置４はＬＡＮ端子を有し、ＬＡＮケーブルを用いた有線接続にも対応している。
【００５５】
回線終端装置７は、例えばＯＮＵ（Optical Network Unit：光回線終端装置）とされ、ネットワーク８側から入力される光信号を所定形式による電気信号（デジタル信号）に変換したり、ルータ装置４側から入力される電気信号を光信号に変換してネットワーク８側に出力する。
【００５６】
中継器３は、撮像装置２及びルータ装置４と接続され、撮像装置２とルータ装置４との間でやり取りされる信号についての中継を行う。例えば、撮像装置２による撮像動画に基づく動画データは、中継器３を介してルータ装置４に転送される。
【００５７】
制御端末１は、コンピュータ装置を有して構成され、イベント会場ＳｉのＬＡＮに接続された外部装置との間でデータ通信を行うことが可能に構成されている。制御端末１は、例えばタブレット型情報処理端末とされ、イベント会場Ｓｉのスタッフ等が撮像装置２を用いた動画撮像に係る操作入力（例えば撮像の開始、終了等の操作入力）を行うための端末として用いられる。
本例では、制御端末１は無線によりルータ装置４と接続されるが、ルータ装置４との接続は有線接続であってもよい。
【００５８】
ストレージ装置６は、コンピュータ装置を有して構成され、各種情報を記憶する。ストレージ装置６はルータ装置４に接続され、ルータ装置４を経由して入力される各種情報を記憶したり、記憶情報を読み出してルータ装置４側に出力する。
本例では、ストレージ装置６は主として各撮像装置２による撮像動画を記憶する（つまり撮像動画を録画する）ための装置として用いられる。
【００５９】
撮像管理端末５は、コンピュータ装置を有して構成され、イベント会場ＳｉのＬＡＮに接続された外部装置との間でデータ通信を行うことが可能に構成されると共に、ネットワーク８を介して外部装置（特にサーバ装置９）との間で通信を行う機能を有している。
撮像管理端末５は、例えばパーソナルコンピュータとして構成され、制御端末１を介した操作入力や自身に接続された例えばマウス等の操作入力デバイスを用いた操作入力に基づいて、撮像装置２による撮像動画を管理するための各種処理を行う。この各種処理には、各撮像装置２が撮像しストレージ装置６に記憶された撮像動画をサーバ装置９に送信（アップロード）するための処理や、撮像動画の購入に係る処理も含まれる。
【００６０】
ユーザ端末１０は、本例ではイベント会場Ｓｉでライブを行った出演者が使用する端末装置として想定しており、例えばスマートフォン等の情報処理端末として構成されている。本例のユーザ端末１０は、被写体を撮像して撮像動画を得る撮像部１０ａを備えている。
実施形態の動画配信システムでは、各撮像装置２による撮像動画がサーバ装置９にアップロードされ、サーバ装置９から該アップロードされた撮像動画に基づく動画がユーザ端末１０に配信される。具体的に、ユーザ端末１０には、各撮像装置２による撮像動画、すなわち異なる撮像視点で撮像された複数の撮像動画に基づいて生成された視点切替動画が配信されるが、これについては後に改めて説明する。
【００６１】
なお、図１において、ネットワーク８の構成は多様な例が想定される。例えば、インターネットを始めとして、イントラネット、エキストラネット、ＬＡＮ（Local Area Network）、ＣＡＴＶ（Community Antenna TeleVision）通信網、仮想専用網（Virtual Private Network）、電話回線網、移動体通信網、衛星通信網等が想定される。
またネットワーク８の全部又は一部を構成する伝送媒体についても多様な例が想定される。例えばＩＥＥＥ（Institute of Electrical and Electronics Engineers）１３９４、ＵＳＢ（Universal Serial Bus）、電力線搬送、電話線等の有線でも、ＩｒＤＡ（Infrared Data Association）のような赤外線、ブルートゥース（登録商標）、８０２．１１無線、携帯電話網、衛星回線、地上波デジタル網等の無線でも利用可能である。
【００６２】
［1-2．動画配信システムの動作概要］
続いて、上記構成による動画配信システムにおける動作の概要を図２乃至図６を参照して説明する。
図２は、撮像装置２による撮像動作の開始指示操作、及び初期チャプタマークの指示入力操作に係る画面遷移の説明図である。
前述のように、ライブハウスにおけるライブイベントは、所定のタイムスケジュールに従って個々の出演者が順次演奏（歌唱を伴う場合もある）を行う形態が採られる。本実施形態では、このように個々の出演者が順次演奏を行った場合において、撮像動画における各出演者の演奏部分をイン点及びアウト点としてのチャプタマークにより区分し、区分された各動画部分を各出演者の購入対象動画部分として管理する。
なお、ここで言う「出演者の演奏部分」は、出演者が出演中である部分と換言できるものであり、例えば１出演につき複数曲を演奏する場合は、該複数曲の演奏開始から演奏終了までの部分を意味するものである。
【００６３】
但しこの場合において、各出演者の演奏部分をリアルタイムで（撮像に並行して）厳密に区分けすることは困難である。そこで、本実施形態では、撮像終了後（録画終了後）におけるチャプタマークの再付与（修正）を可能とし、リアルタイムでは、「初期チャプタマーク」としての、出演者ごとの動画部分がおおまかに区分できる程度のチャプタマーク付与を行う。
このとき、素材としての（母体としての）撮像動画については、必要部分の漏れが生じないように、撮像開始タイミング（録画開始タイミング）は１番目の出演者の演奏開始よりも十分に前のタイミングとし、撮像終了タイミング（録画終了タイミング）は最後の出演者の演奏終了よりも十分に後のタイミングとなるようにする。
【００６４】
上記前提を踏まえ、図２について説明する。
先ず、本例では、撮像装置２の撮像動作に係る操作（開始や終了の指示）、及び初期チャプタマークの指示入力操作は、イベント会場Ｓｉにおけるスタッフが制御端末１に対して行うものとする。すなわち、図２に示す画面遷移は、制御端末１における画面遷移を表している。
本例における制御端末１には、図２に示すような画面表示を行って操作入力を受け付けるためのアプリ（アプリケーションプログラム）がインストールされている。以下、該アプリを「制御操作アプリＡｐ１」と表記する。
【００６５】
イベント会場Ｓｉのスタッフは、各撮像装置２による撮像動作（撮像動画の録画動作）を開始させるにあたっては、制御端末１に対する操作入力を行って制御操作アプリＡｐ１を起動させる。すると、制御端末１には図２Ａに示すようなトップ画面Ｇ１１が表示される。トップ画面Ｇ１１においては、新規ライブ撮影、ライブ一覧の何れかを選択することが可能とされる。ライブ一覧が選択操作されると、ストレージ装置６に録画済みの撮像動画の一覧が表示される。
【００６６】
新規ライブ撮影が選択されると、図２Ｂに示すステータス画面Ｇ１２が表示される。ステータス画面Ｇ１２では、インターネットの接続状態、ディスク残量（ストレージ装置６の記憶可能容量）、及びカメラ映像として各撮像装置２による現在の撮像画像が表示される。なお、図中では撮像装置２が四つ設けられた場合を例示している。本例では、カメラ映像としては静止画像が表示され、図中の「映像更新」ボタンが操作されると各撮像装置２に画像更新指示が行われて、最新の撮像画像が制御端末１に転送され、表示画像の更新が行われる。
また、ステータス画面Ｇ１２には、ステータスの確認が完了した旨を指示入力するための「ＯＫ」ボタンも表示されている。
【００６７】
上記「ＯＫ」ボタンが操作されると、図２Ｃに示すように録画の開始指示を行うための「開始」ボタンＢ１を表示した開始操作画面Ｇ１３が表示され、「開始」ボタンが操作Ｂ１されると、制御端末１が撮像管理端末５に対して録画の開始指示を行う。
【００６８】
該録画の開始指示に応じ、撮像管理端末５は各撮像装置２による撮像動画がストレージ装置６に記憶されるように制御を行う。つまりこれにより、各撮像装置２による撮像動画の録画が開始される。
【００６９】
また、「開始」ボタンＢ１が操作されると、制御端末１においては、図２Ｄに示すような開始後操作画面Ｇ１４が表示される。開始後操作画面Ｇ１４には、「イン点設定」ボタンＢ２、「アウト点設定」ボタンＢ３、及び「撮影終了」ボタンＢ４が表示されている。
「イン点設定」ボタンＢ２、「アウト点設定」ボタンＢ３は、撮像動画について、上述した初期チャプタマークとしてのチャプタマークを付与するためのボタンとされる。イベント会場Ｓｉのスタッフは、出演者の演奏部分が開始、終了するごとに、「イン点設定」ボタンＢ２、「アウト点設定」ボタンＢ３をそれぞれ操作して、初期チャプタマークとしてのイン点、アウト点のタイミングを制御端末１に指示入力することができる。
【００７０】
また、該スタッフは、「撮影終了」ボタンＢ４を操作することで、各撮像装置２による撮像動画の録画終了を制御端末１に指示入力できる。該指示入力に応じ、制御端末１は撮像管理端末５に対して録画の終了指示を行う。
【００７１】
該録画の終了指示に応じ、撮像管理端末５は各撮像装置２による撮像動画のストレージ装置６への録画動作を終了させる制御を行う。
【００７２】
続いて、チャプタマークの修正操作、及び撮像動画のアップロード操作に係る画面遷移について図３を参照して説明する。
図３Ａは、チャプタマークの修正操作画面Ｇ１５の例を示している。
本例では、チャプタマークの修正操作、及び録画された撮像動画をサーバ装置９にアップロードするための操作としても、制御端末１が受け付けるものとする。具体的に、本例では、上述した制御操作アプリＡｐ１にこれらの操作受付機能が実装されている。
【００７３】
スタッフは、録画済み撮像動画についてチャプタマークを修正しようとしたときは、制御操作アプリＡｐ１を起動させ先の図２Ａに示したトップ画面Ｇ１１が表示された状態において、ライブ一覧を選択し、これに応じ表示される録画済みの撮像動画の一覧から該当する撮像動画を選択する。
【００７４】
図３Ａに示すように修正操作画面Ｇ１５には、撮像動画についてのプレビュー画像ｉｐと、撮像動画全体の長さ（時間長）を表す全長バーｂａと、全長バーｂａ内において指示中のチャプタマーク（初期チャプタマークを含む）により区分される動画部分を表す動画部分表示バーｂｐと、撮像動画に付帯された音情報の波形を全長バーｂａと時間同期して表す波形情報ａｗとが表示される。
また、修正操作画面Ｇ１５には、イン点、アウト点の位置を指示するためのスライダＳＬと、チャプタマークを修正する対象としての動画部分を選択するための対象選択ボタンＢ５と、スライダＳＬにより示される位置をイン点として設定する指示を行うための「イン点設定」ボタンＢ６と、スライダＳＬにより示される位置をアウト点として設定する指示を行うための「アウト点設定」ボタンＢ７と、イン点及びアウト点を確定するための「確定」ボタンＢ８とが表示される。
【００７５】
図３Ａでは、初期チャプタマークとして２組のイン点及びアウト点が指定された場合の例を示しており、動画部分表示バーｂｐとしては二つが表示され、対象選択ボタンＢ５としては１番目の動画部分、２番目の動画部分をそれぞれ選択するためのボタンが表示されている。
【００７６】
動画部分表示バーｂｐは、初期チャプタマークを含め、設定中のチャプタマークに応じた動画部分の表示を行う。図中では、設定中の初期チャプタマークに対応した動画部分を表す動画部分表示バーｂｐが表示されているとする。
【００７７】
チャプタマークの修正を行うにあたっては、先ず、スライダＳＬを操作してイン点若しくはアウト点として設定したい時間軸上の位置（全長バーｂａ上での位置）を指示する。このとき、プレビュー画像ｉｐとしては、撮像動画中におけるスライダＳＬによる指示時間に対応したフレーム画像が適宜表示される。これにより、使用者に容易に動画上の位置を把握させることができる。
なお、本例では、プレビュー画像ｉｐとしては、各撮像装置２のうち所定の撮像装置２（例えば正面アングルの撮像を行う第一カメラとしての撮像装置２）による撮像動画からの抽出画像を用いる。
【００７８】
例えば、１番目の動画部分のイン点を修正したければ、１番目の動画部分に対応した動画部分表示バーｂｐの開始位置付近（図の例では左端付近）にスライダＳＬを移動させ、プレビュー画像ｉｐを適宜参照しながら撮像動画中の所望の位置を探索する。
【００７９】
スライダＳＬにより撮像動画中の特定位置を指示した上で、該指示した位置を何れの動画部分におけるイン点又はアウト点として設定するかについて、対象選択ボタンＢ５と、「イン点設定」ボタンＢ６又は「アウト点設定」ボタンＢ７とに対する操作により指示する。例えば、１番目の動画部分におけるイン点として設定するのであれば、対象選択ボタンＢ５における図中「１」と表記されたボタンを操作した上で、「イン点設定」ボタンＢ６を操作する。これにより、スライダＳＬで指示した位置を選択した動画部分のイン点位置として制御端末１に指示することができる。
【００８０】
上記のようにスライダＳＬ、対象選択ボタンＢ５、「イン点設定」ボタンＢ６、「アウト点設定」ボタンＢ７を操作することにより、初期チャプタマークとして設定されたイン点、アウト点の再設定、つまりは修正を行うことができる。なお、少なくとも一部の初期チャプタマークについては修正が不要な場合もあり得る。その場合には、該初期チャプタマークについての修正操作を行わないことでチャプタ位置がそのまま引き継がれる。
【００８１】
ここで、本例の修正操作画面Ｇ１５では、波形情報ａｗを表示していることで、撮像動画において演奏が行われている部分を使用者に容易に推察させることができる。
【００８２】
また、本例の修正操作画面Ｇ１５では、動画部分表示バーｂｐ、すなわち動画部分を表す表示領域のうちイン点に近い領域とアウト点に近い領域とで表示態様を異ならせている。具体的に本例では、イン点に近い領域は赤色、アウト点に近い領域は青色の表示として、両領域の表示色を異ならせている。なお、イン点に近い領域とアウト点に近い領域との間の領域では、イン点側からアウト点側に向けて徐々に赤色から青色に色変化するグラデーションを施している。
そして、本例では、動画部分表示バーｂｐにおけるイン点に近い領域の表示態様と「イン点設定」ボタンＢ６の表示態様とを一致させており（表示色を例えば赤色で一致させており）、また、動画部分表示バーｂｐにおけるアウト点に近い領域の表示態様と「アウト点設定」ボタンＢ７の表示態様とを一致させている（表示色を例えば青色で一致させている）。
これにより、上記のようにスライダＳＬで時間軸上の位置を指示して「イン点設定」ボタンＢ６、「アウト点設定」ボタンＢ７によって該指示した位置へのイン点、アウト点の設定指示を行うことが前提とされる場合において、例えばイン点を設定すべきところ誤って「アウト点設定」ボタンＢ７を操作してしまう等、チャプタマーク設定についての誤操作防止が図られる。
【００８３】
イベント会場Ｓｉのスタッフは、上記のような修正操作画面Ｇ１５において必要に応じて初期チャプタマークの修正を行う。そして、設定中のチャプタマーク位置を確定するとしたときは、「確定」ボタンＢ８を操作する。
【００８４】
「確定」ボタンＢ８が操作されると、制御端末１は撮像管理端末５に対し確定したイン点及びアウト点の情報を送信すると共に、撮像動画のアップロード指示を行う。
【００８５】
撮像管理端末５は、上記のアップロード指示に応じて、確定したイン点及びアウト点の情報とストレージ装置６に録画された撮像動画とがサーバ装置９に対して送信されるように制御を行う。
【００８６】
また、「確定」ボタンＢ８が操作されると、制御端末１は、図３Ｂに示すようなアップロード中画面Ｇ１６を表示する。アップロード中画面Ｇ１６の表示により、使用者に撮像動画がアップロード中である旨が示される。
【００８７】
続いて、図４を参照して、撮像動画の購入受付に係る動作について説明する。
本実施形態の動画配信システムでは、購入手続きを行った出演者を対象として、対応する撮像動画を該出演者に配信する。撮像動画の購入手続きは、本例では撮像管理端末５を用いて行われる。
本例の撮像管理端末５には、図４に示すような画面表示を行って購入に係る操作入力を受け付けるためのアプリがインストールされている。以下、該アプリを「購入操作アプリＡｐ２」と表記する。イベント会場Ｓｉのスタッフは、出演者に購入手続きを行わせるにあたり、撮像管理端末５において購入操作アプリＡｐ２を起動させておく。
【００８８】
図４Ａは、購入操作アプリＡｐ２を起動させたことに応じて表示されるライブリスト画面Ｇ１７を例示している。ライブリスト画面Ｇ１７には、購入手続き可能な撮像動画がライブＩＤの一覧として表示される。なお、後述もするが、ライブＩＤは、撮像動画の録画開始に伴い撮像管理端末５が生成する識別情報であり、撮像動画ごとに異なる値が割り振られる。本例におけるライブリスト画面Ｇ１７では、各撮像動画の識別を容易化するために、ライブＩＤに対応付けて撮像動画の録画開始日時（図中では「撮影日時」と表記）を表示している。
【００８９】
ライブリスト画面Ｇ１７において所要の撮像動画を選択すると、図４Ｂに示すような購入情報入力画面Ｇ１８が表示される。購入情報入力画面Ｇ１８には、ライブリスト画面Ｇ１７で選択された撮像動画について、購入にあたり入力されるべき各項目の情報、及び「次へ」ボタンＢ９が表示される。本例では、上記各項目の情報として、演奏時間区分、カメラ台数、購入対象の各項目の情報が表示される。
本例の購入情報入力画面Ｇ１８は、撮像動画に含まれる動画部分ごとに購入情報の入力を受け付けることが可能に構成されている。具体的に、この場合の購入情報入力画面Ｇ１８には、各動画部分を選択するためのタブＴが表示される。図中では、ライブリスト画面Ｇ１７で選択された撮像動画に三つの動画部分が含まれ、それら動画部分の個々を選択するためのタブＴ１〜Ｔ３が表示された例を示している。購入情報入力画面Ｇ１８に遷移した初期状態では、図４Ｂに示すようにタブＴ１が選択状態とされ、１番目の動画部分についての購入情報の入力が可能とされる。
【００９０】
ここで、演奏時間区分の情報としては、例えば３０分まで、３０〜６０分、６０分以上の区分が設けられ、タブＴにより選択した動画部分の時間長に対応した区分を選択すべきとされる。また、カメラ台数としては、本例では３台又は４台の選択が可能とされている。例えば、４台目のカメラ（撮像装置２）がバンドのドラム演奏者等の特定演奏者を撮像するカメラである場合において、特定演奏者が省略された編成のバンドにとっては４台目のカメラ映像は不要である。そのような事情から、カメラ台数の選択を可能としている。
【００９１】
また、購入対象の項目としては、本例では素材セット、ダイジェストの区分が少なくとも設けられている。素材セットは、各撮像装置２による撮像動画それぞれにおける該当する動画部分をセット販売するものである。
ダイジェストは、前述した視点切替動画の販売を意味するものである。
【００９２】
なお、本例では、演奏時間区分とカメラ台数の組み合わせに応じて、購入対象ごとの購入代金が異なる料金体系が採用されている。すなわち、演奏時間区分やカメラ台数の項目の選択状態に応じて、購入対象に対応して表示される購入代金の表示内容が変更される。
【００９３】
スタッフ又は出演者は、該当するタブＴを選択して該当する動画部分について各項目の選択を行った上で、「次へ」ボタンＢ９を操作する。
「次へ」ボタンＢ９の操作に応じては、図４Ｃに示すような「ＯＫ」ボタンＢ１０を有する購入確定画面Ｇ１９が表示され、使用者は「ＯＫ」ボタンＢ１０を操作することで購入情報入力画面Ｇ１８で選択した購入対象についての購入確定を撮像管理端末５に指示することができる。
【００９４】
「ＯＫ」ボタンＢ１０が操作されたことに応じ、図４Ｄに示すような確認画面Ｇ２０が表示される。
確認画面Ｇ２０は、購入者（出演者）としてのユーザにアカウント情報の入力、又はアカウント情報の新規登録を促す画面とされる。
本例の動画配信システムでは、サーバ装置９が購入者としてのユーザを識別可能とするべく、購入者にアカウント情報の入力、或いはアカウント情報を未登録の購入者には新規登録を行わせる。アカウント情報は、例えばユーザＩＤとパスワードの組み合わせ情報とされる。
確認画面Ｇ２０には「ＯＫ」ボタンＢ１１が設けられ、ユーザはアカウント情報の入力又は新規登録を行う場合には「ＯＫ」ボタンＢ１１を操作する。
【００９５】
図示は省略したが、「ＯＫ」ボタンＢ１１の操作に応じては、例えばアカウント情報の入力又は新規登録を選択する画面が表示され、アカウント情報の入力が選択された場合はアカウント情報入力画面が、アカウント情報の新規登録が選択された場合はアカウント情報の新規登録画面が表示される。アカウント情報入力画面で入力されたアカウント情報、アカウント情報の新規登録画面で登録されたアカウント情報は、購入対象動画特定情報Ｉ１と共にサーバ装置９に対して送信される。なお、購入対象動画特定情報Ｉ１は、図４Ｂに示した購入情報入力画面Ｇ１８での入力情報に応じて撮像管理端末５が生成する情報であり、詳しくは後述する。
【００９６】
なお、購入代金の決済手法については特に限定はされない。
【００９７】
図５は、購入情報入力フォームの生成タイミングについての説明図である。
購入情報入力フォームは、図４Ｂに示した購入情報入力画面Ｇ１８の表示にあたって用いられるフォーム情報であり、撮像動画に複数の動画部分が存在する場合には動画部分ごとに生成される。
図５では、撮像動画の録画例と購入情報入力フォームの生成例とを対比して示し、両者の関係を表している。
【００９８】
図５の録画例においては、ライブイベントにおいて出演者Ａ、Ｂ、Ｃの三者が順に演奏を行った場合において、出演者Ａ、Ｂ、Ｃの出演部分に対してそれぞれ初期チャプタマークとしてのイン点、アウト点の指示が行われている。
【００９９】
本例において、撮像管理端末５は、撮像動画に対する初期アウト点の指示が行われたことに応じて、当該指示されたアウト点に対応する動画部分についての購入情報入力フォームを生成する。
具体的に、図中の出演者Ａについて見れば、出演者Ａの出演部分についての初期アウト点の指示に応じ、該初期アウト点により区分される出演者Ａの動画部分について購入情報入力フォームが生成されている。他の出演者Ｂ、Ｃについても、同様に初期アウト点の指示に応じて対応する動画部分について購入情報入力フォームが生成される。
【０１００】
これにより、撮像動画の録画が終了する前であっても、購入情報入力フォームが生成されてユーザが動画部分の購入手続を行うことが可能とされる。
従って、自身の出番が終了した後に撮像動画の録画終了まで待つことなく動画部分の購入手続を行うことができ、ユーザの利便性向上を図ることができる。
【０１０１】
図６は、「ダイジェスト」の購入、すなわち視点切替動画の購入が行われた場合における撮像動画の変遷の様子を模式的に示している。なお、図６では第一カメラ〜第三カメラの３台の撮像装置２による撮像動画を用いて視点切替動画が生成される例を示している。この場合、撮像動画としては出演者Ａ〜Ｃの三者の演奏部分が収録され、出演者Ａが視点切替動画の購入を行ったものとする。
【０１０２】
イベント会場Ｓｉでの撮像動画に対しては、制御端末１を用いた初期チャプタマークの指示や必要に応じたチャプタマークの修正を経て、出演者ごとの動画部分を区分するイン点、アウト点がそれぞれ設定されている。なお、前述のように撮像動画の録画は１番目の出演者（出演者Ａ）の演奏開始前に開始され、最後の出演者（出演者Ｃ）の演奏終了の後に終了されるため、撮像動画には１番目の出演者の演奏開始前における準備等の様子や最後の出演者の演奏終了後における片付け等の様子も収録され得る。
【０１０３】
上述のように撮像動画のアップロードが指示されたときには、各撮像装置２（この場合は第一カメラ〜第三カメラ）による撮像動画とイン点及びアウト点の情報とがサーバ装置９に送信される。
サーバ装置９では、受信したイン点及びアウト点の情報に従って、図６Ｂに示すように各撮像動画における各動画部分の切り出しを行う。なお、図６Ｂでは出演者Ａ〜Ｃの全てについて動画部分の切り出しが行われた例を示しているが、購入手続が行われなかった出演者については動画部分の切り出しは不要である。
ここで、動画部分の切り出しとは、動画部分を独立した動画ファイルとして生成することと換言することができる。
【０１０４】
なお、本例のサーバ装置９は、アップロードされた各撮像動画についての同期処理（つまり各視点の動画の同期）等も行うが、サーバ装置９の処理については後に改めて説明する。
【０１０５】
「ダイジェスト」を購入した出演者Ａは、ユーザ端末１０を用いて、自身の出演部分についての視点切替動画を入手する。
図６Ｃに示すように、視点切替動画は、各撮像装置２により撮像された出演者Ａの動画部分について、それぞれの一部が組み合わされて生成される。これにより、経時的に撮像視点が切り替えられる動画が実現される。
【０１０６】
本実施形態では、視点切替動画の生成はユーザ端末１０の使用者による操作に基づいて行われる。このような操作に応じた視点切替動画の生成に係る処理については後述する。
【０１０７】
［1-3．コンピュータ装置のハードウェア構成］
図７に、図１で示した制御端末１、撮像管理端末５、サーバ装置９、ユーザ端末１０の各々を構成するコンピュータ装置のハードウェア構成を示す。
図７において、コンピュータ装置のＣＰＵ（Central Processing Unit）１０１は、ＲＯＭ（Read Only Memory）１０２に記憶されているプログラム、または記憶部１０８からＲＡＭ（Random Access Memory）１０３にロードされたプログラムに従って各種の処理を実行する。ＲＡＭ１０３にはまた、ＣＰＵ１０１が各種の処理を実行する上において必要なデータなども適宜記憶される。
ＣＰＵ１０１、ＲＯＭ１０２、及びＲＡＭ１０３は、バス１０４を介して相互に接続されている。このバス１０４には、入出力インタフェース１０５も接続されている。
入出力インタフェース１０５には、キーボード、マウス、タッチパネルなどよりなる入力部１０６、ＬＣＤ（Liquid Crystal Display）、ＣＲＴ（Cathode Ray Tube）、有機ＥＬ（Electroluminescence）パネルなどよりなるディスプレイ（表示装置）、並びにスピーカなどよりなる出力部１０７、ＨＤＤ（Hard Disk Drive）やフラッシュメモリ装置などより構成される記憶部１０８、外部装置との間で相互通信を行うための通信部１０９が接続されている。
ここで、特にユーザ端末１０としてのコンピュータ装置においては、入力部１０６として上述した撮像部１０ａが含まれる。
入出力インタフェース１０５にはまた、必要に応じてメディアドライブ１１０が接続され、磁気ディスク、光ディスク、光磁気ディスク、或いは半導体メモリなどのリムーバブルメディア１１１が適宜装着され、リムーバブルメディア１１１に対する情報の書込や読出が行われる。
【０１０８】
このようなコンピュータ装置では、通信部１０９による通信によりデータやプログラムのアップロード、ダウンロードが行われたり、リムーバブルメディア１１１を介したデータやプログラムの受け渡しが可能である。
ＣＰＵ１０１が各種のプログラムに基づいて処理動作を行うことで、特に制御端末１、撮像管理端末５、サーバ装置９、ユーザ端末１０としてのコンピュータ装置においてはそれぞれ以降で説明する情報処理や通信が実行される。
【０１０９】
なお、特にサーバ装置９等、図１で示した各装置は、図７のようなコンピュータ装置が単一で構成されることに限らず、複数のコンピュータ装置がシステム化されて構成されてもよい。複数のコンピュータ装置は、ＬＡＮ等によりシステム化されていてもよいし、インターネット等を利用したＶＰＮ等により遠隔地に配置されたものでもよい。
【０１１０】
［1-4．制御端末の機能］
図８の機能ブロック図を参照して、制御端末１が実現する第一実施形態としての各種機能について説明する。
図８において、制御端末１は、機能ごとに分けて情報取得処理部Ｆ１、送信制御処理部Ｆ２、情報表示制御処理部Ｆ３、及び入力フォーム生成指示処理部Ｆ４を有するものとして表すことができる。本例では、これら各機能は前述した制御操作アプリＡｐ１により実現されるものである。
【０１１１】
情報取得処理部Ｆ１は、撮像装置２による撮像動画における一部の動画部分の範囲を指定するイン点及びアウト点の情報を取得する。これは、前述した初期チャプタマークとしてのイン点、アウト点や、初期チャプタマークの修正時に指示されたイン点、アウト点の情報を取得することに相当する。
【０１１２】
送信制御処理部Ｆ２は、イン点及びアウト点から特定される動画部分がユーザへの配信対象動画として管理されるように、情報取得処理部Ｆ１が取得したイン点及びアウト点の情報と撮像動画とについてのサーバ装置９に対する送信制御を行う。
本例では、該送信制御は、制御端末１が撮像管理端末５に対し確定されたイン点及びアウト点の情報を送信して、ストレージ装置６に録画された撮像動画と該確定されたイン点及びアウト点の情報とを撮像管理端末５によりサーバ装置９に対して送信させる制御が該当する。
【０１１３】
上記のように撮像動画とイン点及びアウト点の情報をサーバ装置９に送信するようにしたことで、仮にイン点又はアウト点が誤った位置に設定されていたとしても、正しい動画範囲に修正を行うことが可能とされる。すなわち、イン点、アウト点の設定を誤ったことに伴い撮像のやり直しが発生してしまうことの防止が図られる。
従って、一連の撮像動画における一部の動画部分をユーザに配信するシステムにおいて、動画部分の範囲修正を容易化して動画撮像関係者の負担軽減を図ることができる。
【０１１４】
本実施形態における送信制御処理部Ｆ２は、撮像動画として、複数の撮像装置２による複数の撮像動画がサーバ装置９に対して送信されるように制御を行う。すなわち、先の図６で例示したように、例えば第一カメラ〜第三カメラそれぞれの撮像動画がサーバ装置９に対して送信されるように制御を行うものである。
これにより、視点切替動画を配信するシステムを実現可能とされる。
【０１１５】
また図８において、情報表示制御処理部Ｆ３は、撮像動画中における動画部分の時間軸上での位置を表す視覚情報と、撮像動画中の時間軸上の位置を指示するためのポインタと、ポインタが指示する位置をイン点の位置として指示するためのイン点指示操作子と、ポインタが指示する位置をアウト点の位置として指示するためのアウト点指示操作子とを画面上に表示させる。
本例では、上記視覚情報は、図３Ａに示した全長バーｂａ及び動画部分表示バーｂｐが該当し、上記のポインタ、イン点指示操作子、アウト点指示操作子は、それぞれスライダＳＬ、「イン点設定」ボタンＢ６、「アウト点設定」ボタンＢ７が該当する。
【０１１６】
そして、本実施形態の情報表示制御処理部Ｆ３は、視覚情報における動画部分を表す表示領域のうちイン点に近い領域とアウト点に近い領域とで表示態様を異ならせると共に、イン点に近い領域とイン点指示操作子の表示態様、アウト点に近い領域とアウト点指示操作子の表示態様をそれぞれ一致させる。
つまり本例では、図３Ａで説明したように動画部分表示バーｂｐにおけるイン点に近い領域とアウト点に近い領域とで表示色を異ならせる（例えば赤と青）一方で、上記イン点に近い領域と「イン点設定」ボタンＢ６を同一の表示色（例えば赤）とし、上記アウト点に近い領域と「アウト点設定」ボタンＢ７を同一の表示色（例えば青）としている。
これにより、イン点、アウト点の修正に係る誤操作防止が図られる。
【０１１７】
入力フォーム生成指示処理部Ｆ４は、撮像動画に対するアウト点の指示が行われたことに応じて、当該指示されたアウト点に対応する動画部分についての購入情報入力フォームの生成指示を行う。これは、本例では、制御端末１が初期アウト点の指示操作に応じて撮像管理端末５に該初期アウト点としてのアウト点情報を送信することに相当する。
【０１１８】
［1-5．制御端末、撮像管理端末、及びサーバ装置の処理］
図９乃至図１３のフローチャートを参照して、第一実施形態における制御端末１、撮像管理端末５、及びサーバ装置９が行うべき処理を説明する。
図９及び図１０に示す処理は、それぞれ制御端末１のＣＰＵ１０１が前述した制御操作アプリＡｐ１としてのプログラムに従って実行するものである。図９及び図１０において、制御端末１と言ったときは、特に断りのない限り制御端末１のＣＰＵ１０１を指すものとする。
なお、図９に示す処理が開始されるにあたっては、既に開始操作画面Ｇ１３（図２Ｃ）が表示された状態にあるとする。
【０１１９】
先ず、制御端末１はステップＳ１０１で、録画開始操作を待機する。すなわち、開始操作画面Ｇ１３における「開始」ボタンＢ１が操作されるまで待機する。
【０１２０】
録画開始操作があった場合、制御端末１はステップＳ１０２で録画開始通知を撮像管理端末５に行う。
【０１２１】
続くステップＳ１０３で制御端末１は、イン点指示を待機する。すなわち、本例では開始後操作画面Ｇ１４における「イン点設定」ボタンＢ２の操作を待機する。なお、図９におけるイン点、アウト点は、初期チャプタマークとしてのイン点、アウト点である。
イン点指示が行われた場合、制御端末１はステップＳ１０４に進みイン点の保持処理を行う。すなわち、指示されたイン点の情報（例えば、録画開始からの時間情報）を所定の記憶装置に記憶させる処理を行う。
【０１２２】
ステップＳ１０４の処理を実行したことに応じ、制御端末１はステップＳ１０５でアウト点指示の待機処理、すなわち「アウト点設定」ボタンＢ３の操作を待機する処理を行い、アウト点の指示があった場合はステップＳ１０６でアウト点の保持処理を行う。
さらに、続くステップＳ１０７で制御端末１は、アウト点通知処理として、アウト点の指示があった旨を撮像管理端末５に通知する。
【０１２３】
ステップＳ１０７の通知処理を行った上で、制御端末１はステップＳ１０８で録画終了操作が行われたか否か、つまり本例では「撮影終了」ボタンＢ４の操作が行われたか否かを判定する。
録画終了操作が行われていなければ、制御端末１はステップＳ１０３に戻る。これにより、複数の出演者が順時演奏を行う場合に対応して、演奏部分ごとのイン点、アウト点の指示を受け付けることができる。
【０１２４】
一方、録画終了操作があった場合、制御端末１はステップＳ１０９で撮像制御端末５に対する録画終了通知を行い、図９に示す処理を終える。
【０１２５】
図１０は、初期チャプタマークの修正操作受付に係る処理を示している。
制御端末１はステップＳ１１０で、修正操作画面Ｇ１５の表示指示を待機する。すなわち、本例では図２に示したトップ画面Ｇ１１からライブ一覧が表示された状態で、該一覧から一つのライブを選択する操作が行われるまで待機する。
【０１２６】
修正操作画面Ｇ１５の表示指示があった場合、制御端末１はステップＳ１１１で表示必要情報の取得処理を行う。すなわち、修正操作画面Ｇ１５の表示に必要とされるイン点及びアウト点の情報、修正対象とされた撮像動画の全長（録画時間の全長）情報を少なくも取得する。なお、撮像動画の全長情報は、撮像制御端末５に問い合わせて取得しても良いし、制御端末１が自ら録画開始から録画終了までの時間を計時して取得してもよい。
【０１２７】
ステップＳ１１１で表示必要情報を取得したことに応じ、制御端末１はステップＳ１１２で修正操作画面Ｇ１５の表示処理を行う。
そして、続くステップＳ１１３及びＳ１１４の処理により、制御端末１は、イン・アウト点修正受付処理を確定操作が行われるまで実行する。ステップＳ１１３のイン・アウト点修正受付処理は、図３Ａで説明したスライダＳＬや対象選択ボタンＢ５、「イン点設定」ボタンＢ６、「アウト点設定」ボタンＢ７を用いたイン点、アウト点の修正操作を受け付ける処理である。「イン点設定」ボタンＢ６、「アウト点設定」ボタンＢ７により新たにイン点、アウト点が指示された場合は、該当するイン点、アウト点の情報を更新する。
ステップＳ１１４の確定操作待機処理は、図３Ａに示した「確定」ボタンＢ８の操作を待機する処理である。
【０１２８】
ステップＳ１１４で確定操作が行われた場合、制御端末１はステップＳ１１５に進み、録画された撮像動画全体、ライブＩＤ、動画部分ＩＤ、イン点、アウト点の情報の送信制御を行う。
すなわち、確定されたイン点及びアウト点の情報を撮像管理端末５に送信して、ストレージ装置６に録画された該当する撮像動画全体、及び送信したイン点、アウト点の情報、及び後述するライブＩＤ、動画部分ＩＤをサーバ装置９に送信させる。
ステップＳ１１５の送信制御を行ったことに応じ、制御端末１は図１０に示す処理を終える。
【０１２９】
なお、先の図３Ａで説明したように、修正操作画面Ｇ１５では、複数の動画部分についてイン点、アウト点を確定することができる。このため、撮像動画に複数の動画部分が存在する場合には、ステップＳ１１５の処理ではそれら複数の動画部分についてのイン点及びアウト点の情報が撮像管理端末５に送信される。
【０１３０】
図１１及び図１２は、撮像管理端末５が前述した購入操作アプリＡｐ２としてのプログラムに基づき実行する処理を示している。なお、図１１及び図１２において、撮像管理端末５と言ったときは、特に断りのない限り撮像管理端末５のＣＰＵ１０１を指すものとする。
【０１３１】
図１１は、ライブＩＤと動画部分ＩＤの生成に係る処理である。
図１１において、撮像管理端末５はステップＳ２０１で、録画開始通知（Ｓ１０２）を待機し、録画開始通知があったことに応じてステップＳ２０２で対応するライブＩＤを生成する。
ライブＩＤは、イベント会場Ｓｉでのライブイベントを一意に識別するための識別情報であり、ステップＳ２０２の処理では、ステップＳ２０１で録画開始が通知された撮像動画を一意に識別可能なライブＩＤを生成する。
【０１３２】
続くステップＳ２０３で撮像管理端末５は、アウト点通知（Ｓ１０６）を待機し、アウト点通知があった場合はステップＳ２０４で対応する動画部分ＩＤを生成する。
動画部分ＩＤは、撮像動画中における動画部分を一意に識別するための識別情報であり、ステップＳ２０４の処理では、ステップＳ２０３でアウト点が通知された動画部分を一意に識別可能な動画部分ＩＤを生成する。
【０１３３】
ステップＳ２０４の生成処理を実行したことに応じ、撮像管理端末５はステップＳ２０５で購入情報入力フォームの生成処理を行う。すなわち、ステップＳ２０３でアウト点が通知された動画部分に対応する購入情報入力フォーム（該動画部分に演奏が収録された出演者による購入手続に用いられるべき購入情報入力フォーム）を生成するものである。
ステップＳ２０５の処理により、初期アウト点の指定に応じて新たな動画部分についての購入情報入力フォームが生成される。生成された購入情報入力フォームは、該当する撮像動画について表示された購入情報入力画面Ｇ１８（図４Ｂ）において反映される。具体的には、ステップＳ２０５で購入情報入力フォームが生成されるごとに、該当する撮像動画についての購入情報入力画面Ｇ１８に表示されるタブＴの数が増加していき、新たな動画部分についての購入情報の入力が可能となる。
【０１３４】
ステップＳ２０５の生成処理を実行したことに応じ、撮像管理端末５はステップＳ２０６で録画終了通知（Ｓ１０９）を待機する。録画終了通知がない場合、撮像管理端末５はステップＳ２０３に戻る。これにより、新たに生じた動画部分についての動画部分ＩＤの生成（Ｓ２０４）及び購入情報入力フォームの生成（Ｓ２０５）が行われる。
【０１３５】
一方、録画終了通知があった場合、撮像管理端末５は図１１に示す処理を終える。
【０１３６】
図１２は、動画部分の購入情報入力受付に係る処理を示している。
なお、図１２に示す処理が開始されるにあたっては、既に購入情報入力画面Ｇ１８（図４Ｂ参照）が表示された状態にあるとする。
【０１３７】
図１２において、撮像管理端末５はステップＳ３０１及びＳ３０２の処理により、画面入力情報の取得を入力完了条件が成立するまで実行する。ステップＳ３０２の入力完了条件としては、前述したアカウント情報の入力操作完了、又はアカウント情報の新規登録操作完了の何れかとして設定されている。
ステップＳ３０１の取得処理は、購入情報入力画面Ｇ１８、購入確定画面Ｇ１９（図４Ｃ）、及び確認画面Ｇ２０（図４Ｄ）における入力情報と、アカウント情報とを取得する処理とされる。特に、ステップＳ３０１の取得処理では、購入情報入力画面Ｇ１８におけるタブＴの選択入力情報、演奏時間区分やカメラ台数、購入対象としての各項目の入力情報が取得される。
【０１３８】
ステップＳ３０２において、アカウント情報の入力操作又は新規登録操作の何れかが完了し、入力完了条件が成立したと判定した場合には、撮像管理端末５はステップＳ３０３に進み、購入対象動画特定情報Ｉ１とアカウント情報とをサーバ装置９に送信する処理を行う。
購入対象動画特定情報Ｉ１は、購入手続が行われた動画部分の識別情報（ライブＩＤ及び動画部分ＩＤ）と、購入対象の識別情報（本例では素材セット、ダイジェストの別）を含む情報である。
【０１３９】
撮像管理端末５は、ステップＳ３０３の送信処理を行ったことに応じて図１２に示す処理を終える。
【０１４０】
ここで、図１２の処理が行われることで、購入情報入力画面Ｇ１８を通じて、複数の出演者がそれぞれ対応する動画部分についての購入手続を行うことができる。すなわち、撮像管理端末５は、各出演者の動画部分をアカウント情報と共に（アカウント情報と対応付けて）サーバ装置９に送信することができる。
【０１４１】
これにより、サーバ装置９側において、動画部分ごとに、購入の有無及び購入者の管理を行うことができる。
【０１４２】
なお上記説明のように、本例では、制御端末１と撮像管理端末５とにより下記の処理が行われる。
（１）撮像動画の録画開始や終了の指示受付
（２）初期チャプタマークの指示の受付
（３）初期チャプタマークの修正受付
（４）撮像動画とイン点及びアウト点の情報のアップロード指示受付（本例では「確定」ボタンＢ８の操作受付）
（５）購入情報入力受付
これらの処理を制御端末１や撮像管理端末５を始めとした何れの装置に実行させるかは任意である。例えば、制御端末１又は撮像管理端末５の何れかが上記の全ての処理を行ってもよい。或いは、制御端末１が上記（１）（２）の処理、撮像管理端末５が残りの（３）〜（５）の処理を行うようにすることもできる。
【０１４３】
ここで、上記（１）〜（５）全ての処理を制御端末１、撮像管理端末５の何れか一方等の単一のコンピュータ装置が行う場合には、該コンピュータ装置は、先の図８で説明した情報取得処理部Ｆ１、送信制御処理部Ｆ２、情報表示制御処理部Ｆ３、及び入力フォーム生成指示処理部Ｆ４を有することになる。
【０１４４】
そして、この場合における情報取得処理部Ｆ１は、動画部分の配信対象者を識別するための対象者識別情報を取得し、送信制御処理部Ｆ２は、動画部分を一意に識別するための動画部分識別情報と対象者識別情報とが対応付けられてサーバ装置９に対して送信されるように制御を行う。
上記「対象者識別情報」は、先の図４Ｄで説明したアカウント情報が該当する。また、上記「動画部分識別情報」は、初期アウト点の指示に応じ撮像管理端末５が生成していた「動画部分ＩＤ」が該当する。
上記のように動画部分識別情報と対象者識別情報とが対応付けられてサーバ装置９に対して送信されるようにすることで、サーバ装置９において動画部分と配信対象者との対応関係を管理することが可能とされる。
【０１４５】
さらに、この場合における情報取得処理部Ｆ１は、イン点及びアウト点の情報として、撮像動画における異なる動画部分の範囲をそれぞれ指定する複数組のイン点及びアウト点の情報を取得すると共に、動画部分ごとの対象者識別情報を取得し、送信制御部は、対象者識別情報が取得された動画部分ごとに、動画部分識別情報と対象者識別情報とが対応付けられてサーバ装置９に対して送信されるように制御を行う。これは、例えば図６で例示したように撮像動画に出演者Ａ〜Ｃの三者の出演部分が収録されている場合において、各出演部分に対応する動画部分の範囲を指定するための複数組のイン点及びアウト点の情報を取得すると共に、先の図４で説明した購入手続時の処理により動画部分ごとのアカウント情報を取得し、アカウント情報が取得された動画部分ごとに、後述する動画部分ＩＤとアカウント情報とが対応付けられてサーバ装置９に対して送信されるように制御を行うことに相当する。
これにより、各動画部分は、それぞれ異なる対象者識別情報（ユーザ識別情報）が対応付けられてサーバ装置９に送信される。
従って、複数の動画部分ごとに異なる配信対象者が設定された場合において、各動画部分が配信対象者以外の者からの要求に応じて配信されないようにすることができる。
【０１４６】
また、この場合における送信制御処理部Ｆ２は、対象者識別情報の取得有無に拘わらず、各動画部分についてのイン点及びアウト点の情報がサーバ装置９に対して送信されるように制御を行う。つまり、先の例では、未購入の動画部分についても、イン点及びアウト点の情報がサーバ装置９に対して送信されるように制御を行っている。
これにより、イン点又はアウト点の設定を誤った場合における修正を可能としつつ、サーバ装置９に配信不要とされた動画部分を特定させることが可能とされる。
従って、サーバ装置９において配信不要部分の削除が可能となり、サーバ装置９における記憶容量の圧迫防止を図ることができる。
【０１４７】
図１３は、実施形態におけるサーバ装置９が実行する処理を示したフローチャートである。なお、図１３に示す処理は、サーバ装置９のＣＰＵ１０１が例えばサーバ装置９のＲＯＭ１０２等の所要の記憶装置に記憶されたプログラムに基づき実行する。図１３において、サーバ装置９と言ったときは、特に断りがない限りサーバ装置９のＣＰＵ１０１を指すものとする。
【０１４８】
図１３において、サーバ装置９はステップＳ４０１で、各視点の動画の同期処理を行う。
本例の場合、ステップＳ４０１の同期処理は、同一のライブＩＤで管理される撮像動画の組のうち、同期処理が未実行の撮像動画の組を対象として、各撮像動画に付帯される音情報に基づいて行う。具体的には、各音情報の音波形を解析し、音波形が一致するように各撮像動画を同期させる。本例では、各撮像動画にタイムコードを付すことで同期を実現する。
【０１４９】
続くステップＳ４０２でサーバ装置９は、動画部分の切り出し処理を行う。該動画部分の切り出し処理は、上述した購入対象動画特定情報Ｉ１に基づき、購入手続が行われた動画部分を対象として行う。
【０１５０】
ステップＳ４０２の切り出し処理を実行したことに応じ、サーバ装置９はステップＳ４０３でダイジェスト購入動画について各視点の動画の軽量化動画を生成する処理を行う。すなわち、購入対象として「ダイジェスト」が指示されて購入された各視点の動画部分について、データ容量を小さくした軽量化動画を生成する処理を行う。
本例では、軽量化処理として、対象とする動画部分の解像度を下げる処理を行う。
なお、軽量化処理としては解像度の低下処理に限定されず、例えば対象とする動画部分がカラー動画像であればモノクロ化する処理、動画部分の一部を間引く処理、動画データを圧縮する処理、或いは、対象とする動画部分がプログレッシブ方式による動画像であればインターレス方式に変換する処理とする等、データ容量を低下させる処理であれば特に限定はされない。
ここで、ステップＳ４０２の処理は、軽量化前の元データを削除するものではない。すなわち、ステップＳ４０２の処理が行われることで、ダイジェスト購入動画としての各動画部分については、非軽量化動画と軽量化動画とが併存するものとなる。
なお、ダイジェスト購入動画について軽量化動画を生成しておく意義については後述する。
【０１５１】
続くステップＳ４０４でサーバ装置９は、未購入動画部分の削除処理を行う。すなわち、購入対象動画特定情報Ｉ１に基づき、購入手続が行われていない動画部分を削除する。これにより、配信不要とされる動画部分がサーバ装置９の記憶装置に記憶され続けてしまうことの防止が図られ、サーバ装置９の記憶容量の圧迫防止を図ることができる。また、著作権への対応が可能となる。
【０１５２】
さらに、ステップＳ４０５でサーバ装置９は、視点切替動画の生成処理を行う。該視点切替動画の生成処理は、ダイジェスト購入動画を対象として、ユーザ端末１０からの指示に応じて行われる。
【０１５３】
なお、上記したステップＳ４０１〜Ｓ４０５の各処理は一連の処理として実行される必要はなく、それぞれが所定の開始条件の成立に応じて独立して開始されるものであってもよい。ステップＳ４０１〜Ｓ４０４の処理については、処理の順序は任意であってもよいが、ステップＳ４０１の同期処理はステップＳ４０２の切り出し処理の前に実行しておくことが望ましい。
ステップＳ４０５の視点切替動画の生成処理は、対象とするダイジェスト購入動画についてステップＳ４０１、Ｓ４０２、及びＳ４０３の処理が全て完了したことに応じて実行すべきである。ステップＳ４０４の削除処理は、ステップＳ４０５の生成処理の後に実行されてもよい。
【０１５４】
［1-6．視点切替動画の生成］
本実施形態の動画配信システムでは、出演者としてのユーザがユーザ端末１０を用いて、購入した動画をサーバ装置９からダウンロードすることを想定している。ユーザは、ダウンロードした動画を所要の動画投稿サイト等にアップロードして、自身のプロモーション等を行うことができる。
以下では特に、前述した「ダイジェスト」としての視点切替動画の購入を行った際の購入動画のダウンロードまでの流れを説明する。
【０１５５】
先ず、本例では、視点切替動画をユーザ端末１０にダウンロードするにあたり、出演者としてのユーザがユーザ端末１０に所定のアプリ（以下「動画取得支援アプリＡｐ３」と表記）をインストールしておくことが前提とされる。この動画取得支援アプリＡｐ３は、本例では、視点切替動画を生成するための動画編集機能を有したものとされる。
【０１５６】
ここで、動画取得支援アプリＡｐ３のユーザ端末１０へのインストールの流れとしては以下が考えられる。
先ず、前述したアカウント情報のＩＤとして、ユーザの電子メールアドレスの入力を求めるようにしておく。そして、アカウント情報を新規登録したことに応じて、上記ＩＤとして登録されたメールアドレス宛に動画取得支援アプリＡｐ３のダウンロードページへのリンク情報を含む電子メールを送付するようにしておき、ユーザは該ダウンロードページにて動画取得支援アプリＡｐ３をユーザ端末１０にダウンロードし、インストールを行う。
【０１５７】
なお、以下で説明する動画取得支援アプリＡｐ３による機能は、いわゆるｗｅｂアプリにより実現することもできる。その場合、当該機能は、ユーザ端末１０のｗｅｂブラウザがｗｅｂページデータに含まれるプログラムに従った処理を行うことで実現される。
【０１５８】
図１４は、視点切替動画を生成する際の動画編集に係る画面例を示している。
図１４Ａは、視点切替動画生成時の動画編集に係る操作入力を受け付けるための編集画面Ｇ２１の例を示している。
先ず、この編集画面Ｇ２１を始めとして、動画取得支援アプリＡｐ３により提供される画面には、一覧画面ボタンＢ２０、編集画面ボタンＢ２１、及びプレビュー画面ボタンＢ２２が表示される。一覧画面ボタンＢ２０は、ユーザが購入した動画の一覧情報が表示される不図示の一覧画面の表示を指示するためのボタンである。本例では、動画取得支援アプリＡｐ３は、少なくとも初回起動時にユーザに対してアカウント情報の入力を受け付ける。アカウント情報が入力されることで、動画取得支援アプリＡｐ３はサーバ装置９から該アカウント情報に対応付けられた購入済み動画の情報を取得することができる。一覧画面では、購入済み動画の一覧情報が表示され、ユーザは該一覧から視点切替動画の生成対象とすべきダイジェスト購入動画を選択することができる。
【０１５９】
上記の一覧画面においてダイジェスト購入動画が選択されたことに応じ、図４Ａに示すような編集画面Ｇ２１が表示される。
編集画面Ｇ２１には、上記の一覧から選択された購入済み動画（動画部分）の画像を表示するための画像表示領域Ａｉと、開始時間の指示操作を行うための開始時間操作部ＴＳと、視点切替動画の全長の指示操作を行うための時間長操作部ＴＬと、終了時間の指示操作を行うための終了時間操作部ＴＥと、視点切替周期の指示操作を行うための切替周期操作部Ｆｓと、「編集実行」ボタンＢ２３とが設けられている。
【０１６０】
開始時間操作部ＴＳ、終了時間操作部ＴＥは、視点切替動画の生成源となる動画部分から、視点切替動画の開始点となるべき時間、終了点となるべき時間をそれぞれ指示するための操作部とされる。図のように開始時間操作部ＴＳ、終了時間操作部ＴＥでは、時：分：秒による開始時間、終了時間の指示を行うことが可能とされる。
また、本例の時間長操作部ＴＬ、切替周期操作部Ｆｓでは、それぞれ秒単位で時間長、視点切替周期の指示を行うことが可能とされている。
なお、視点切替については、一定の周期による切り替えを行うことに限らず、一部で切り替えの間隔が異なってもよい。この意味で、切替周期は「切替間隔」と換言することができる。
【０１６１】
本例において、ユーザは、視点切替動画の生成にあたり、開始時間操作部ＴＳを用いて開始時間を指示すると共に、時間長操作部ＴＬを用いて視点切替動画の時間長を指示するか、又は終了時間操作部ＴＥを用いて終了時間を指示する。時間長操作部ＴＬ、終了時間操作部ＴＥには、ラジオボタンｒｂ１、ラジオボタンｒｂ２がそれぞれ対応して設けられ、ユーザはラジオボタンｒｂ１を操作することで時間長の指示を、ラジオボタンｒｂ２を操作することで終了時間の指示をそれぞれ有効化することができる。
【０１６２】
本例では、開始時間操作部ＴＳにおいて開始時間の値が変更されると、画像表示領域Ａｉにおいて変更後の値が表す時間に対応したフレーム画像が表示される。同様に、終了時間操作部ＴＥにおいて終了時間の値が変更されると、画像表示領域Ａｉにおいて変更後の値が表す時間に対応したフレーム画像が表示される。これにより、開始時間、終了時間の探索が容易となる。
本例において、画像表示領域Ａｉにデフォルトで表示されるフレーム画像は、購入された各視点の動画部分のうち所定の撮像装置２（例えば、正面視点による第一カメラとしての撮像装置２）が撮像した動画部分に含まれるフレーム画像とされる。なお、編集画面Ｇ２１において視点切替を指示する操作を可能として、画像表示領域Ａｉに表示されるフレーム画像を指示された視点の動画部分における該当フレーム画像に切り替えるようにすることもできる。
【０１６３】
また、ユーザは、視点切替動画の生成にあたっては、切替周期操作部Ｆｓを用いて視点切替周期を指示する。
【０１６４】
ユーザは、「編集実行」ボタンＢ２３を操作することで、指示した各情報に基づく視点切替動画の生成指示をユーザ端末１０に対して行うことができる。
なお、後述もするが、「編集実行」ボタンＢ２３の操作に応じた視点切替動画の生成は、前述した軽量化処理の施された動画部分に基づきユーザ端末１０が行うものである。
【０１６５】
図１４Ｂは、視点切替動画のプレビューを行うためのプレビュー画面Ｇ２２を例示している。なお、本例では、編集画面Ｇ２１からプレビュー画面Ｇ２２への表示遷移が、「編集実行」ボタンＢ２３の操作に応じた視点切替動画の生成完了に応じて自動的に行われる。
【０１６６】
プレビュー画面Ｇ２２には、上記した一覧画面ボタンＢ２０、編集画面ボタンＢ２１、及びプレビュー画面ボタンＢ２２と共に、再生ボタンＢ２４、「やり直し」ボタンＢ２５、及び「確定」ボタンＢ２６が設けられている。
ユーザは、再生ボタンＢ２４を操作することで、生成された視点切替動画のプレビュー動画ｍｐをプレビュー画面Ｇ２２内に表示させることができる。
また、ユーザは「やり直し」ボタンＢ２５を操作することで、再編集指示をユーザ端末１０に行うことができる。該再編集指示に応じては、ユーザ端末１０において編集画面Ｇ２１への表示遷移が行われ、ユーザは開始時間や視点切替周期等の各情報の指示を行って異なる指示情報に基づく視点切替動画の生成を行わせることができる。
【０１６７】
ユーザは、「確定」ボタンＢ２６を操作することで、生成された視点切替動画のサーバ装置９からのダウンロード指示をユーザ端末１０に対して行うことができる。
本例では、サーバ装置９からダウンロードされる視点切替動画は、軽量化処理の施されていない動画部分に基づき生成されたものとなる。
【０１６８】
［1-7．ユーザ端末の機能］
図１５の機能ブロック図を参照して、ユーザ端末１０が実現する第一実施形態としての各種機能について説明する。
図８において、ユーザ端末１０は、機能ごとに分けて指示受付処理部Ｆ１１、ランダム選択処理部Ｆ１２、撮像動画取得処理部Ｆ１３、及び動画表示制御処理部Ｆ１４を有するものとして表すことができる。本例では、これら各機能は前述した動画取得支援アプリＡｐ３により実現されるものである。
【０１６９】
指示受付処理部Ｆ１１は、異なる撮像視点から被写体を撮像した複数の撮像動画に基づいて撮像視点が経時的に切り替えられる一つの視点切替動画を生成するための指示として、撮像視点の切替周期の指示を受け付ける。具体的に本例では、図１４Ａに示した切替周期操作部Ｆｓを用いた視点切替周期の指示を受け付けることに相当する。
【０１７０】
ランダム選択処理部Ｆ１２は、切替周期により区分される視点切替動画の各動画区間に用いるべき動画を複数の撮像動画のうちからランダムに選択する。
【０１７１】
図１６は、撮像視点の切替周期（視点切替周期）と視点切替動画における動画区間との関係を模式的に表している。このように各動画区間は、撮像視点の切替周期の１周期分の時間ごとに視点切替動画を区分して形成される区間を意味する。本例では、撮像視点の切替周期は同一の視点切替動画においては一定であるため、各動画区間の時間長は、一つの動画区間を除き同一となる。視点切替動画の最も終端側（或いは最も始端側）に位置する動画区間の時間長は、指示された視点切替動画の時間長と視点切替周期との関係によっては他の動画区間と異なる場合もある。
【０１７２】
本例のランダム選択処理部Ｆ１２は、例えば視点切替動画の始端側から順に、各動画区間で用いる動画の選択を行っていく。このとき、ランダム選択処理部Ｆ１２は、各動画区間をその始点、終点の時間情報により管理する。ｎ番目の動画区間に用いる動画を選択する際には、各視点の動画部分のうち一つの動画部分をランダムに選択する。そして、選択した動画部分の識別情報と、ｎ番目の動画区間の時間情報（始点、終点の時間情報）とを対応付けて保持（記憶）しておく。このような処理を各動画区間について行うことで、視点切替動画の各動画区間に用いるべき動画を特定するための情報が保持される。
【０１７３】
なお、以下では、全ての動画区間についてランダムな動画選択を行う例を挙げるが、例えば一部の動画区間についてはランダムな動画選択の対象外とすることもできる。例えば、該対象外とした動画区間については、各視点の動画部分のうち所定の動画部分における動画を用いる。
【０１７４】
本例において、指示受付処理部Ｆ１１は、視点切替動画として生成すべき動画の全体時間長の指示を受け付けると共に、指示された全体時間長に基づいて計算した切替周期の情報をユーザに提示する。
具体的に、指示受付処理部Ｆ１１は、編集画面Ｇ２１における開始時間操作部ＴＳと終了時間操作部ＴＥとを用いて指示された視点切替動画の時間長、又は時間長操作部ＴＬを用いて指示された時間長に基づいた切替周期を計算する。この場合の計算は、指示された時間長が長いほどより長い切替周期が算出されるように行う。
本例の指示受付処理部Ｆ１１は、時間長の指示操作に応じて指示時間長が変化するごとに切替周期を計算し、計算した切替周期の情報を切替周期操作部Ｆｓに表示する。具体的にこの場合は、計算した切替周期の情報を表示すると共に、切替周期操作部Ｆｓにおいて計算した切替周期が選択された状態となるようにする。これにより、視点切替動画の時間長に応じた適切とされる視点切替周期をユーザに提示することができる。
例えば、短時間の視点切替動画において視点切替周期が長くされた場合には、閲覧者に視点切替の頻度が少なく感じられ易く、視点切替による動画の見栄えの向上効果が薄れてしまう。逆に、長時間の視点切替動画において視点切替周期が短くされた場合には、視点切替頻度が過剰に高まって閲覧者に忙しない印象を与えてしまい、返って動画の見栄えの低下を招く虞がある。このため、上記のような切替周期の計算及び提示を行うことは、動画の見栄え向上を図る上で効果的である。
【０１７５】
さらに、本例における指示受付処理部Ｆ１１は、ランダム選択処理部Ｆ１２による前記選択の再実行指示の受け付けを行う。これは、先の図１４Ｂで説明したプレビュー画面Ｇ２２において「やり直し」ボタンＢ２５の操作を受け付けることに相当する。
各動画区間に用いるべき動画のランダムな選択が実行し直されることで、ユーザの意図に沿った視点切替動画に生成し直すことが可能とされる。
従って、ユーザにとっての有益性を高めることができる。
【０１７６】
撮像動画取得処理部Ｆ１３は、サーバ装置９からデータ軽量化処理の施された複数の撮像動画を取得する。
動画表示制御処理部Ｆ１４は、データ軽量化処理の施された複数の撮像動画に基づき、ランダム選択処理部Ｆ１２による選択結果に従った視点切替動画の表示制御を行う。これは、本例では前述したプレビュー画面Ｇ２２において視点切替動画のプレビュー動画ｍｐが表示されるように制御することに相当する。
上記の撮像動画取得処理部Ｆ１３及び動画表示制御処理部Ｆ１４により、ユーザ端末１０における視点切替動画の表示に係る処理負担の軽減が図られる。特に本例では、視点切替動画のプレビュー動画ｍｐの生成に係る処理負担の軽減が図られる。
【０１７７】
［1-8．ユーザ端末の処理］
図１７乃至図２０のフローチャートを参照し、第一実施形態におけるユーザ端末４が行うべき処理を説明する。
これら図１７乃至図２０に示す処理は、ユーザ端末１０のＣＰＵ１０１が動画取得支援作アプリＡｐ３としてのプログラムに従って実行するものである。図１７乃至図２０において、ユーザ端末１０と言ったときは、特に断りのない限りユーザ端末１０のＣＰＵ１０１を指すものとする。
【０１７８】
図１７において、ユーザ端末１０はステップＳ５０１で、ダイジェスト購入動画の選択が行われるまで待機する。すなわち、前述した一覧画面においてダイジェス購入動画が選択されるまで待機する。
【０１７９】
ダイジェスト購入動画が選択されたことに応じ、ユーザ端末１０はステップＳ５０２で軽量化動画取得処理を行う。すなわち、ステップＳ５０１で選択された動画（各動画部分）に対応する軽量化動画の送信要求をサーバ装置９に対して行い、これに応じサーバ装置９から送信された軽量化動画を取得する。
【０１８０】
続くステップＳ５０３でユーザ端末１０は、編集画面Ｇ２１の表示処理を行い、さらに続くステップＳ５０４及びＳ５０５の処理により、「編集実行」ボタンＢ２３が操作されるまで入力操作に応じた処理を実行する。
ステップＳ５０４の入力操作に応じた処理は、編集画面Ｇ２１に設けられた開始時間操作部ＴＳ、終了時間操作部ＴＥ、時間長操作部ＴＬ、切替周期操作部Ｆｓ、ラジオボタンｒｂ１、ｒｂ２等の各操作部に対する操作に応じた処理を実行するものである。
【０１８１】
図１８は、ステップＳ５０４の入力操作に応じた処理を説明するためのフローチャートである。
ユーザ端末１０はステップＳ６０１で、動画時間長指示操作が行われたか否かを判定する。つまり本例の場合は、開始時間操作部ＴＳの操作、或いは、終了時間操作部ＴＥ又は時間長操作部ＴＬのうち対応するラジオボタンｒｂの操作により有効化されている方の操作部に対する操作が行われたか否かを判定する。
なお本例において、開始時間操作部ＴＳにおける時間情報の初期値は、ステップＳ５０１で選択された動画の始点の時間を表す値とされている。また、終了時間操作部ＴＥにおける時間情報の初期値は、ステップＳ５０１で選択された動画の終点の時間を表す値とされている。
【０１８２】
図示は省略したが、ステップＳ６０１で動画時間長指示操作が行われていないと判定した場合、ユーザ端末１０は、編集画面Ｇ２１における他の各操作の有無を判定し、該当する操作が行われた場合は該操作に応じた処理を実行する。例えば、切替周期操作部Ｆｓの操作が行われた場合には、操作に応じて切替周期情報の表示内容を更新する等の処理が行われる。
【０１８３】
一方、ステップＳ６０１で動画時間長指示操作が行われたと判定した場合、ユーザ端末１０はステップＳ６０２に進み、動画時間長取得処理を行う。すなわち、ステップＳ６０１で検出された操作により指示された開始時間及び終了時間の情報、又は動画時間長の情報に基づき視点切替動画の時間長を取得する。
【０１８４】
ステップＳ６０２の取得処理を実行したことに応じ、ユーザ端末１０はステップＳ６０３で切替周期計算処理を行う。すなわち、視点切替周期の計算を行う。本例において、視点切替周期としては、ステップＳ６０２で取得した時間長が長いほどより長い周期となるように計算する。
例えば、動画時間長が１分までは視点切替周期を２秒とし、１分を超える場合は視点切替周期を４秒とする等が考えられる。
【０１８５】
続くステップＳ６０４でユーザ端末１０は、切替周期表示処理として、ステップＳ６０３で計算した視点切替周期の情報を切替周期操作部Ｆｓに表示する処理を行う。これにより、計算された視点切替周期の情報がユーザに提示される。
【０１８６】
説明を図１７に戻す。
ステップＳ５０５で「編集実行」ボタンＢ２３が操作されたと判定した場合、ユーザ端末１０はステップＳ５０６に進み、入力情報に応じた視点切替動画の生成処理を行う。
【０１８７】
図１９は、ステップＳ５０６の入力情報に応じた視点切替動画の生成処理の例を示している。
先ず、ユーザ端末１０はステップＳ７０１で、指示された切替周期に応じた動画区間分割処理を行う。すなわち、「編集実行」ボタンＢ２３の操作時において指示されていた開始時間から終了時間までの区間を、同指示されていた視点切替周期により分割し、各動画区間とする。
【０１８８】
続くステップＳ７０２でユーザ端末１０は、動画区間総数＝Ｎをセットし、さらに続くステップＳ７０３で動画区間識別子ｎとして「１」をセットする。
【０１８９】
ステップＳ７０３で動画区間識別子ｎを「１」にセットしたことに応じ、ユーザ端末１０はステップＳ７０４で各視点の動画部分のうち一つをランダム選択する。すなわち、ステップＳ５０１で選択された動画が第一カメラ、第二カメラ、第三カメラでそれぞれ撮像された動画部分であった場合には、それら三つの動画部分のうちから一つの動画部分をランダムに選択する。
【０１９０】
続くステップＳ７０５でユーザ端末１０は、選択した動画部分の識別情報とｎ番目の区間情報とを対応付けて保持する。動画部分の識別情報としては、本例では動画部分ＩＤを用いる。以下、このように選択した動画部分の識別情報については、該当する動画区間に用いる動画部分を識別するための情報との意味で「使用動画識別情報」と表記する。
また、ｎ番目の区間情報とは、ｎ番目の動画区間の始点及び終点の時間を表す情報である。
ステップＳ７０５の処理では、これら使用動画識別情報と区間情報とを例えばユーザ端末１０におけるＲＡＭ１０３等の所定の記憶装置に保持（記憶）させる。
【０１９１】
ステップＳ７０５の保持処理を実行したことに応じ、ユーザ端末１０はステップＳ７０６で動画区間識別子ｎが動画区間総数Ｎ以上であるか否かを判定し、否定結果が得られた場合はステップＳ７０７に進んで動画区間識別子ｎの値を１インクリメントし、ステップＳ７０４に戻る。
これにより、ステップＳ７０１の分割処理で得られた各動画区間について、ステップＳ７０４のランダム選択処理、及びステップＳ７０５の保持処理が実行されて、各動画区間で使用すべき動画部分の識別情報及び各動画区間の始点及び終点の時間情報が保持される。
【０１９２】
ステップＳ７０６で肯定結果が得られた場合、ユーザ端末１０はステップＳ７０８に進んで軽量化動画と保持情報とに基づき、視点切替動画のプレビュー動画ｍｐを生成する。
具体的には、ステップＳ５０２で取得した軽量化動画としての各動画部分について、例えば１番目の動画区間から順に、使用動画識別情報が表す動画部分の選択、及び選択した動画部分からの区間情報で特定される区間の動画の抽出を行い、抽出した各動画を時間順に連結して一つの動画ファイルを生成する。
軽量化動画を用いていることで、ユーザ端末１０におけるプレビュー動画ｍｐの生成処理負担の軽減が図られる。
【０１９３】
再び説明を図１７に戻す。
ユーザ端末１０は、ステップＳ５０６の生成処理を実行したことに応じ、ステップＳ５０７でプレビュー画面Ｇ２２の表示処理を実行し、ステップＳ５０８に処理を進める。
ユーザ端末１０は、ステップＳ５０８、Ｓ５０９、及びＳ５１０の処理により、再生ボタンＢ２４の操作、「やり直し」ボタンＢ２５の操作、「確定」ボタンＢ２６の操作の何れかを待機する。すなわち、ユーザ端末１０は、ステップＳ５０８で再生ボタンＢ２４の操作有無を判定し、否定結果が得られた場合はステップＳ５０９で「やり直し」ボタンＢ２５の操作有無を判定し、ステップＳ５０９で否定結果が得られた場合はステップＳ５１０で「確定」ボタンＢ２６の操作有無を判定し、ステップＳ５１０で否定結果が得られた場合はステップＳ５０８に戻る。
【０１９４】
ステップＳ５０８で再生ボタンＢ２４が操作されたと判定した場合、ユーザ端末１０はステップＳ５１１に進んでプレビュー再生処理を行いステップＳ５０８に戻る。プレビュー再生処理としては、ステップＳ５０６で生成したプレビュー動画ｍｐの再生処理を行ってプレビュー画面Ｇ２２においてプレビュー動画ｍｐを表示させる。
【０１９５】
また、ステップＳ５０９で「やり直し」ボタンＢ２５が操作されたと判定した場合、ユーザ端末１０はステップＳ５０３に戻って編集画面Ｇ２１の表示処理を行う。これにより、視点切替動画の生成のやり直しが可能とされる。
【０１９６】
また、ステップＳ５１０で「確定」ボタンＢ２６が操作されたと判定した場合、ユーザ端末１０は図２０に示すステップＳ５１２に処理を進める。
【０１９７】
図２０において、ユーザ端末１０はステップＳ５１２で、動画区間ごとの使用動画識別情報及び区間情報をサーバ装置９に送信する処理を行う。すなわち、ステップＳ７０５の処理により保持された動画区間ごとの使用動画識別情報及び区間情報をサーバ装置９に送信する。
【０１９８】
サーバ装置９は、このように送信された動画区間ごとの使用動画識別情報及び区間情報を受信して、先のステップＳ４０５の処理（図１３参照）により、視点切替動画の生成処理を行う。なお、動画区間ごとの使用動画識別情報及び区間情報に基づいたサーバ装置９における視点切替動画の生成手法は、用いる動画部分が軽量化動画でなくその生成の元となった動画部分とされる以外は先のステップＳ７０８で説明した視点切替動画（プレビュー動画ｍｐ）の生成手法と同様である。
サーバ装置９は、視点切替動画の生成完了に応じて、ユーザ端末１０に生成完了通知を行う。
【０１９９】
ユーザ端末１０は、ステップＳ５１２の送信処理を行ったことに応じ、ステップＳ５１３でサーバ装置９からの生成完了通知を待機し、生成完了通知があった場合はステップＳ５１４で視点切替動画のダウンロード処理を行い、図１７及び図２０に示した一連の処理を終える。
【０２００】
なお、サーバ装置９は単体の装置で構成されることに限定されない。例えば、撮像管理端末５からの撮像動画のアップロードを受け付ける機能と、視点切替動画の生成やユーザ端末４に対する視点切替動画の配信を行う機能とがそれぞれ別装置で実現されるようにすることもできる。
【０２０１】
［1-9．第一実施形態のまとめ］
上記のように第一実施形態の情報処理装置（例えば制御端末１）は、撮像装置による撮像動画における一部の範囲を、ユーザへの配信対象となる動画部分として指定するイン点及びアウト点の情報を取得する情報取得部（情報取得処理部Ｆ１）と、情報取得部が取得したイン点及びアウト点の情報と撮像動画とを外部装置に対して送信させる送信制御部（送信制御処理部Ｆ２）と、を備えている。
【０２０２】
上記のように撮像動画とイン点及びアウト点の情報が外部装置（例えばサーバ装置）に送信されるようにしたことで、仮にイン点又はアウト点が誤った位置に設定されていたとしても、正しい動画範囲に修正を行うことが可能とされる。すなわち、イン点、アウト点の設定を誤ったことに伴い撮像のやり直しが発生してしまうことの防止が図られる。
従って、一連の撮像動画における一部の動画部分をユーザに配信するシステムにおいて、動画部分の範囲修正を容易化して動画撮像関係者の負担軽減を図ることができる。
【０２０３】
また、第一実施形態の情報処理装置（例えば制御端末１）においては、送信制御部は、撮像動画として、複数の撮像装置による複数の撮像動画を外部装置に対して送信させている。
【０２０４】
これにより、視点切替動画を配信するシステムを実現可能とされる。
従って、配信対象動画の見栄えの向上を図ることができ、動画配信を受けるユーザにとっての有益性向上を図ることができる。
【０２０５】
さらに、第一実施形態の情報処理装置（例えば制御端末１又は撮像管理端末５）においては、送信制御部は、動画部分と、動画部分を識別するための動画部分識別情報とを対応付けて外部装置に対して送信させている。
【０２０６】
これにより、外部装置における動画部分の管理を容易化できる。
【０２０７】
また、第一実施形態の情報処理装置（例えば制御端末１又は撮像管理端末５）においては、情報取得部は、動画部分の配信対象者を識別するための対象者識別情報を取得し、送信制御部は、動画部分識別情報と対象者識別情報とを対応付けて外部装置に対して送信させている。
【０２０８】
これにより、外部装置において動画部分と配信対象者との対応関係を管理することが可能とされる。
従って、動画部分が配信対象者以外の者からの要求に応じて配信されないようにすることができる。
【０２０９】
さらにまた、第一実施形態の情報処理装置（例えば制御端末１又は撮像管理端末５）においては、情報取得部は、イン点及びアウト点の情報として、撮像動画における異なる複数の動画部分をそれぞれ指定する複数組のイン点及びアウト点の情報を取得すると共に、動画部分ごとの対象者識別情報を取得し、送信制御部は、対象者識別情報が取得された動画部分ごとに、動画部分識別情報と対象者識別情報とを対応付けて外部装置に対して送信させている。
【０２１０】
これにより、各動画部分は、それぞれ異なる対象者識別情報（ユーザ識別情報）が対応付けられて外部装置に送信される。
従って、複数の動画部分ごとに異なる配信対象者が設定された場合において、各動画部分が配信対象者以外の者からの要求に応じて配信されないようにすることができる。
【０２１１】
また、第一実施形態の情報処理装置（例えば制御端末１又は撮像管理端末５）においては、送信制御部は、対象者識別情報の取得有無に拘わらず、各動画部分についてのイン点及びアウト点の情報をサーバ装置に対して送信させている。
【０２１２】
これにより、イン点又はアウト点の設定を誤った場合における修正を可能としつつ、サーバ装置に配信不要とされた動画部分を特定させることが可能とされる。
従って、外部装置において配信不要部分の削除が可能となり、外部装置における記憶容量の圧迫防止を図ることができる。
【０２１３】
さらに、第一実施形態の情報処理装置（例えば制御端末１）においては、撮像動画中における動画部分の時間軸上での位置を表す視覚情報と、撮像動画中の時間軸上の位置を指示するためのポインタと、ポインタが指示する位置をイン点の位置として指示するためのイン点指示操作子と、ポインタが指示する位置をアウト点の位置として指示するためのアウト点指示操作子とを画面上に表示させる情報表示制御部（情報表示制御処理部Ｆ３）を備え、情報表示制御部は、視覚情報における動画部分を表す表示領域のうちイン点に近い領域とアウト点に近い領域とで表示態様を異ならせると共に、イン点に近い領域とイン点指示操作子の表示態様と、アウト点に近い領域とアウト点指示操作子の表示態様をそれぞれ一致させている。
【０２１４】
これにより、イン点、アウト点の修正操作を行う際に、イン点に近い領域の付近にポインタを位置させた際にはイン点指示操作子を操作すべきこと、及びアウト点に近い領域の付近にポインタを位置させた際にはアウト点指示操作子を操作すべきことを明確に表すことが可能とされる。
従って、例えばポインタにより指示した位置をイン点として指示すべきことろアウト点指示操作子を操作してしまう等、イン点、アウト点の修正に係る誤操作防止を図ることができる。
【０２１５】
さらにまた、第一実施形態の情報処理装置（例えば制御端末１）においては、撮像動画に対するアウト点の指示が行われたことに応じて、当該指示されたアウト点に対応する前記動画部分についての購入情報入力フォームの生成指示を行う入力フォーム生成指示部（入力フォーム生成指示処理部Ｆ４）を備えている。
【０２１６】
これにより、撮像動画の録画が終了する前であっても、購入情報入力フォームが生成されてユーザが動画部分の購入手続を行うことが可能とされる。
従って、ユーザは自身の出番が終了した後に撮像動画の録画終了まで待つことなく動画部分の購入手続を行うことができ、ユーザの利便性向上を図ることができる。
【０２１７】
第一実施形態の別の情報処理装置（ユーザ端末４）は、異なる撮像視点から被写体を撮像した複数の撮像動画に基づいて撮像視点が経時的に切り替えられる一つの視点切替動画を生成するための指示として、撮像視点の切替間隔の指示を受け付ける指示受付部（指示受付処理部Ｆ１１）と、切替間隔により区分される視点切替動画の各動画区間に用いるべき動画を複数の撮像動画のうちからランダムに選択するランダム選択部（ランダム選択処理部Ｆ１２）と、を備えている。
【０２１８】
上記構成によれば、ユーザが少なくとも撮像視点の切替間隔を指示するだけで、撮像視点が経時的にランダムに切り替えられる視点切替動画が生成される。
従って、ユーザに大きな操作負担を強いることなく、或る程度見栄えのする動画を生成することができる。すなわち、編集動画の見栄えの低下防止を図りながら編集に係るユーザ負担の軽減を図り、編集機能の利用促進を図ることができる。
【０２１９】
また、第一実施形態の別の情報処理装置においては、指示受付部は、視点切替動画として生成すべき動画の全体時間長の指示を受け付けると共に、指示された全体時間長に基づいて計算した切替間隔の情報をユーザに提示している。
これにより、視点切替動画の時間長に応じた適切とされる視点切替間隔をユーザに提示することができる。
【０２２０】
さらに、第一実施形態の別の情報処理装置においては、指示受付部は、ランダム選択部による選択の再実行指示の受け付けを行っている。
【０２２１】
各動画区間に用いるべき動画のランダムな選択が実行し直されることで、ユーザの意図に沿った視点切替動画に生成し直すことが可能とされる。
従って、ユーザにとっての有益性を高めることができる。
【０２２２】
さらにまた、第一実施形態の別の情報処理装置においては、外部装置からデータ軽量化処理の施された複数の撮像動画を取得する撮像動画取得部（撮像動画取得処理部Ｆ１３）と、データ軽量化処理の施された複数の撮像動画に基づき、ランダム選択部による選択結果に従った視点切替動画の表示制御を行う動画表示制御部（動画表示制御処理部Ｆ１４）と、を備えている。
【０２２３】
これにより、情報処理装置における視点切替動画の表示に係る処理負担の軽減が図られる。
【０２２４】
＜２．第二実施形態＞
［2-1．ユーザ端末の機能］
続いて、第二実施形態について説明する。
第二実施形態は、ユーザに提示する視点切替周期の計算手法が第一実施形態とは異なるものである。
なお、以下の説明において、既にこれまでに説明済みとなった部分と同様となる部分については、特に断りがない限り同一の符号やステップ番号を付して説明を省略する。以下の説明において、動画配信システムの構成や制御端末１、撮像管理端末５、サーバ装置９、及びユーザ端末１０のハードウェア構成については第一実施形態と同様となることから図示による説明は省略する。
【０２２５】
第二実施形態では、ユーザ端末１０において動画取得支援アプリＡｐ３に代えて動画取得支援アプリＡｐ３Ａがインストールされている。
動画取得支援アプリＡｐ３Ａにより実現される機能としては、先の図１５で説明した指示受付処理部Ｆ１１、ランダム選択処理部Ｆ１２、撮像動画取得処理部Ｆ１３、及び動画表示制御処理部Ｆ１４としての機能があるが、この場合、指示受付処理部Ｆ１１による視点切替周期の計算機能が第一実施形態の場合とは異なる。
【０２２６】
この場合における指示受付処理部Ｆ１１は、撮像動画に付帯された音情報の音特性に基づいて計算した切替周期の情報をユーザに提示する。具体的には、編集画面Ｇ２１の表示時において、編集対象とされた動画部分に付帯されている音情報についてテンポの解析を行い、解析したテンポに基づいて視点切替周期の計算を行うと共に、計算した視点切替周期の情報を切替周期操作部ＴＬにおいて表示させる。
【０２２７】
テンポの速い曲に対し視点切替周期を長く設定してしまうと、閲覧者に視点切替の頻度が少なく感じられ易く、視点切替による動画の見栄えの向上効果が薄れてしまう。逆に、テンポの遅い曲に対し視点切替周期を短く設定してしまうと閲覧者に忙しない印象を与えてしまい、返って動画の見栄えの低下を招く虞がある。
このため本例では、テンポが遅いほどより長い視点切替周期が算出されるように視点切替周期の計算を行う。
【０２２８】
［2-2．ユーザ端末の処理］
図２１のフローチャートを参照し、第二実施形態としてのユーザ端末１０が行うべき処理について説明する。
なお、図２１に示す処理はユーザ端末１０が動画取得支援アプリＡｐ３Ａとしてのプログラムに従って実行する。この場合におけるユーザ端末１０が実行すべき処理は先の図１７や図１８に示したステップＳ５０４の処理以外は第一実施形態の場合と同様である。このため、以下では第二実施形態の場合に実行されるべきステップＳ５０４の処理について説明する。
【０２２９】
図２１において、ユーザ端末１０（ユーザ端末１０のＣＰＵ１０１：以下、図２１において同様）は、ステップＳ８０１で生成動画範囲指示操作が行われたか否かを判定する。生成動画範囲指示操作とは、視点切替動画の開始点から終了点までの時間範囲を指示する操作を意味するものであり、「生成動画範囲指示操作が行われる」とは、本例では、開始時間操作部ＴＳの操作と、終了時間操作部ＴＥ又は時間長操作部ＴＬのうち対応するラジオボタンｒｂの操作により有効化されている方の操作部に対する操作の双方が行われることを意味する。
【０２３０】
図示は省略したが、ステップＳ８０１で生成動画範囲指示操作が行われていないと判定した場合、ユーザ端末１０は、編集画面Ｇ２１における他の各操作の有無を判定し、該当する操作が行われた場合は該操作に応じた処理を実行する。
【０２３１】
ステップＳ８０１で生成動画範囲指示操作が行われたと判定した場合、ユーザ端末１０はステップＳ８０２に進み、動画範囲取得処理を行う。すなわち、生成動画範囲指示操作により指示された視点切替動画の動画範囲（始点から終点の範囲）の情報を取得する。
【０２３２】
続くステップＳ８０３でユーザ端末１０は、範囲内の音特性解析を行う。つまり、編集対象の動画部分に付帯されている音情報全体のうち、ステップＳ８０２で取得した動画範囲と同範囲の音情報について、テンポの解析を行う。
【０２３３】
ステップＳ８０３の解析処理を行ったことに応じ、ユーザ端末１０はステップＳ８０４で音特性に応じた切替周期計算処理を行う。つまり本例では、解析したテンポに基づき視点切替周期の計算を行う。上述のように、本例における視点切替周期の計算は、テンポが遅いほどより長い視点切替周期が算出されるように行う。
【０２３４】
ステップＳ８０４で視点切替周期を計算したことに応じ、ユーザ端末１０は前述したステップＳ６０４の切替周期表示処理を実行する。これにより、ステップＳ８０４で計算された視点切替周期の情報がユーザに対して提示される。
【０２３５】
なお、音特性に基づく視点切替周期（間隔）の計算としては、上記したテンポに基づく計算以外にも多様に考えられる。例えば、音圧レベル、周波数特性などに基づいて曲調を推定し、曲調に基づいて視点切替周期を計算することが考えられる。例えば、ハードロック等の激しい曲調であれば、視点切替周期として短い周期が計算されるようにする等が考えられる。
【０２３６】
また、ユーザに提示する視点切替周期は、音特性と視点切替動画の全体時間長の双方に基づいて計算することもできる。
例えば、第一実施形態の場合と同様に視点切替動画の全体時間長に応じて計算した視点切替周期をテンポの速さに応じた係数により調整する等の手法が考えられる。
【０２３７】
［2-3．第二実施形態のまとめ］
上記のように第二実施形態の情報処理装置（ユーザ端末１０）においては、撮像動画には音情報が付帯され、指示受付部（指示受付処理部Ｆ１１）は、音情報の音特性に基づいて計算した切替間隔の情報をユーザに提示している。
【０２３８】
これにより、視点切替動画と共に再生される音情報の音特性に応じた適切とされる視点切替間隔をユーザに提示することができる。
【０２３９】
＜３．第三実施形態＞
［3-1．ユーザ端末の機能］
第三実施形態は、拡大動画の併用により切替可能な視点数の増加を図るものである。
第三実施形態では、ユーザ端末１０において動画取得支援アプリＡｐ３に代えて動画取得支援アプリＡｐ３Ｂがインストールされている。
動画取得支援アプリＡｐ３Ｂにより実現される機能としては、先の図１５で説明した指示受付処理部Ｆ１１、ランダム選択処理部Ｆ１２、撮像動画取得処理部Ｆ１３、及び動画表示制御処理部Ｆ１４としての機能があるが、この場合、ランダム選択処理部Ｆ１２による機能が第一実施形態の場合とは異なる。
【０２４０】
この場合におけるランダム選択処理部Ｆ１２は、視点切替動画の各動画区間に用いるべき動画の少なくとも一つとして、撮像動画の一部の画素領域を拡大した拡大動画を選択する。
【０２４１】
図２２は、拡大動画についての説明図である。
例えば図２２の例の場合、元となる撮像動画に対して図中太枠で囲った部分を拡大した動画が、拡大動画に該当する。ここで、撮像動画の「一部の画素領域」とは、撮像動画に含まれる各画素のうち一部の画素で構成される領域を意味する。すなわち、図２２の例においては、太枠内の動画が元となる撮像動画に対する「一部の画素領域」に相当する。
【０２４２】
本例では、拡大動画としては、視点切替動画の生成対象として選択された動画部分の拡大動画を用いる。
ここで、拡大動画の画サイズは、元となる動画部分の画サイズと同一サイズとする。これは、視点切替動画に組み込まれた際に非拡大画像との画サイズの差が生じないようにするためである。
【０２４３】
図２２を参照して分かるように、拡大動画は、元となる撮像動画に対して奥行き方向における視点が異なる動画となるものである。従って、視点切替動画に拡大動画を用いることで、切替可能な視点数の増加を図ることができる。
【０２４４】
また、本例におけるランダム選択処理部Ｆ１２は、視点切替動画の各動画区間に用いるべき動画として拡大動画を用いるか否かをランダムに選択する。具体的に、本例では、ｎ番目の動画区間に用いるべき動画の選択時において、各動画部分のうち一つの動画部分をランダム選択すると共に、選択した動画部分の拡大動画を用いるか否かをランダム選択する。
【０２４５】
［3-2．ユーザ端末の処理］
図２３のフローチャートを参照し、第三実施形態としてのユーザ端末１０が行うべき処理について説明する。
なお、図２３に示す処理はユーザ端末１０が動画取得支援アプリＡｐ３Ｂとしてのプログラムに従って実行する。この場合におけるユーザ端末１０が実行すべき処理は先の図１７や図１９に示したステップＳ５０６の処理以外は第一実施形態の場合と同様であるため、以下では第三実施形態の場合に実行されるべきステップＳ５０６の処理について説明する。
【０２４６】
先の図１９と対比して分かるように、この場合におけるステップＳ５０６の処理としても、ステップＳ７０１〜Ｓ７０４の処理が実行される。
この場合のユーザ端末１０（ユーザ端末１０のＣＰＵ１０１：以下、図２３において同様）は、ステップＳ７０４で各視点の動画部分のうち一つをランダム選択したことに応じ、ステップＳ９０１で拡大有無をランダム選択する。
【０２４７】
そして、続くステップＳ９０２でユーザ端末１０は、選択した動画部分の識別情報（使用動画識別情報）と拡大有無情報とｎ番目の区間情報とを対応づけて保持する処理を行い、ステップＳ７０６に処理を進める。
【０２４８】
この場合のユーザ端末１０は、ステップＳ７０６で肯定結果（ｎ≧Ｎ）が得られたことに応じて、ステップＳ９０３に処理を進める。
ステップＳ９０３でユーザ端末１０は、軽量化動画と保持情報とに基づき、視点切替動画のプレビュー動画ｍｐを生成する。ステップＳ９０３の生成処理は、ステップＳ７０８の生成処理と比較して、動画区間ごとに、使用動画識別情報が表す動画部分を選択し且つ選択した動画部分から区間情報で特定される区間の動画を抽出する点は先のステップＳ７０８の生成処理と同様となる。但し、ステップＳ９０３の処理では、上記のように区間情報で特定される区間の動画を抽出した際に、拡大有無情報を参照し、拡大有無情報が拡大有りを示す場合は該抽出した動画の拡大動画を生成して視点切替動画に用い、拡大無しを示す場合は該抽出した動画を視点切替動画に用いる。
【０２４９】
なお、図示は省略したが、この場合のユーザ端末１０は、図２０に示したステップＳ５１２の送信処理として、サーバ装置９に対し、動画区間ごとの使用動画識別情報及び区間情報と共に、動画区間ごとの拡大有無情報を送信して、サーバ装置９に視点切替動画を生成させる。
この場合のサーバ装置９における視点切替動画の生成処理は、用いる動画部分が軽量化動画でなくその生成の元となった動画部分とされる以外は、上記したステップＳ９０３の生成処理と同様となる。
【０２５０】
なお、第三実施形態において、元となる撮像動画から拡大動画として用いる画素範囲を切り出す際には、切り出し位置をユーザ操作等に応じて可変とすることもできる。
また、該切り出し位置は、元となる撮像動画の視点ごとに、動画内容に応じて可変とすることもできる。例えば、画像解析を行って人物が写しだされている範囲を特定し、該範囲が含まれるように切り出し位置を設定する等が考えられる。この場合、元となる撮像動画のプレビュー画像（動画又は静止画の何れでもよい）上に切り出し位置を表す枠表示を行う等して、ユーザに切り出し位置の設定状態を把握させることもできる。
【０２５１】
［3-3．第三実施形態のまとめ］
上記のように第三実施形態の情報処理装置（ユーザ端末１０）においては、ランダム選択部（ランダム選択処理部Ｆ１２）は、視点切替動画の各動画区間に用いるべき動画の少なくとも一つとして撮像動画の一部の画素領域を拡大した拡大動画を選択している。
【０２５２】
これにより、切替可能な視点数を増加させることができる。
従って、視点切替動画の見栄えの向上を図るにあたり、撮像環境に用意すべき撮像装置の台数削減を図ることができる。
【０２５３】
また、第三実施形態の情報処理装置においては、ランダム選択部は、視点切替動画の各動画区間に用いるべき動画として拡大動画を用いるか否かをランダムに選択している。
【０２５４】
これにより、撮像視点の切り替えのランダム性が増す。
従って、視点切替動画のさらなる見栄えの向上を図ることができる。
【０２５５】
＜４．第四実施形態＞
［4-1．ユーザ端末の機能］
第四実施形態は、視点切替動画に対して任意動画を連結可能とするものである。
第四実施形態では、ユーザ端末１０において動画取得支援アプリＡｐ３に代えて動画取得支援アプリＡｐ３Ｃがインストールされている。
動画取得支援アプリＡｐ３Ｃにより実現される機能としては、先の図１５で説明した指示受付処理部Ｆ１１、ランダム選択処理部Ｆ１２、撮像動画取得処理部Ｆ１３、及び動画表示制御処理部Ｆ１４としての機能があるが、この場合、指示受付処理部Ｆ１１による機能が第一実施形態の場合とは異なる。また、以下で説明する動画送信制御処理部Ｆ１５としての機能が追加された点が第一実施形態の場合と異なる。
【０２５６】
この場合における指示受付処理部Ｆ１１は、複数の撮像動画以外の動画を指定する指示を受け付ける。ここで言う複数の撮像動画以外の動画とは、視点切替動画の生成に用いられる複数の撮像動画以外の動画を意味する。
【０２５７】
動画送信制御処理部Ｆ１５は、指示された動画とランダム選択処理部Ｆ１２による選択結果とがサーバ装置９に送信されるように制御する。ランダム選択処理部Ｆ１２による選択結果とは、本例では前述した使用動画識別情報が該当する。
このような動画送信制御処理部Ｆ１５により、視点切替動画に対して任意の動画を連結させた動画をサーバ装置９に生成させることが可能とされる。
【０２５８】
以下、視点切替動画に対して連結される動画を「追加動画」とも表記する。
追加動画としては、例えば出演者が曲紹介のコメントをしている様子を撮影した曲紹介動画等とすることが考えられる。
本例では、追加動画は視点切替動画の始点側に連結されることを前提とする。
【０２５９】
図２４は、追加動画の指示操作に係る画面表示の例を示している。
図２４Ａは、第三実施形態におけるユーザ端末１０が表示する編集画面Ｇ２１の例を示している。
この場合、編集画面Ｇ２１を始めとして動画取得支援アプリＡｐ３Ｃにより提供される画面には、前述した一覧画面ボタンＢ２０、編集画面ボタンＢ２１、プレビュー画面ボタンＢ２２と共に、追加動画画面ボタンＢ２７が表示される。
ユーザは、該追加動画画面ボタンＢ２７を操作することで、図２４Ｂに示すような追加動画画面Ｇ２３をユーザ端末１０に表示させることができる。
【０２６０】
追加動画画面Ｇ２３においては、「撮影開始」ボタンＢ２８が設けられており、ユーザは「撮影開始」ボタンＢ２８を操作することでユーザ端末１０に追加動画の撮影開始（録画開始）を指示することができる。確認のため述べておくと、ユーザ端末１０における動画撮像は、撮像部１０ａ（図１参照）により行われる。
なお、図示は省略するが、追加動画画面Ｇ２３には、録画中の撮像動画を画面内にて表示することができる。録画終了操作の受け付けとしては、例えば「撮影開始」ボタンＢ２８の操作に応じて該「撮影開始」ボタンＢ２８に代えて「撮影終了」ボタンを表示し、該「撮影終了」ボタンの操作を受け付けることが考えられる。
【０２６１】
追加動画の録画が終了すると、追加動画画面Ｇ２３の表示内容が図２４Ｃに示すように遷移する。この場合の追加動画画面Ｇ２３では、「再生」ボタンＢ２９、「再撮影ボタン」Ｂ３０、及び「確定」ボタンＢ３１が設けられる。「再生」ボタンＢ２９を操作に応じては、追加動画のプレビュー動画ｍａについての再生動画が追加動画画面Ｇ２３内において表示される。
また、「再撮影ボタン」Ｂ３０の操作に応じては、追加動画画面Ｇ２３の表示内容が図２４Ｂに示す状態に戻され、ユーザは再度「撮影開始」ボタンＢ２８を操作することで追加動画の撮り直し（録画し直し）を行うことができる。
「確定」ボタンＢ３１の操作に応じては、撮影された追加動画が視点切替動画への連結対象動画として確定される。
【０２６２】
なお、本例では、ユーザは追加動画付きの視点切替動画を生成するか追加動画付きでない視点切替動画を生成するかの選択が可能とされている。具体的に、追加動画付きでない視点切替動画を生成したい場合は、編集画面Ｇ２１において開始時間操作部ＴＳの操作等の必要な編集操作を行った上で「編集実行」ボタンＢ２３を操作する。これにより、第一実施形態の場合と同様に視点切替動画が生成される。
一方、追加動画付きの視点切替動画を生成したい場合は、追加動画画面Ｇ２３での上記の操作により追加動画の撮影を行って「確定」ボタンＢ３１を操作した上で、編集画面Ｇ２１での編集操作を行って「編集実行」ボタンＢ２３を操作する。これにより、以下で説明するようにして追加動画付きの視点切替動画の生成が行われる。
【０２６３】
［4-2．ユーザ端末の処理］
図２５及び図２６のフローチャートを参照し、第四実施形態のユーザ端末１０が行うべき処理について説明する。
これら図２５及び図２６に示す処理は、ユーザ端末１０が動画取得支援アプリＡｐ３Ｃとしてのプログラムに従って実行する。この場合におけるユーザ端末１０が実行すべき処理は、先の図１７や図１８に示したステップＳ５０４の処理、及び図１７及び図２０に示した一連の処理のうち図２０に示した処理（「編集実行」ボタンＢ２３の操作に応じて実行される処理）が異なる。このため、以下では第四実施形態の場合に実行されるべきこれらの処理について説明する。
【０２６４】
図２５において、ユーザ端末１０（ユーザ端末１０のＣＰＵ１０１：以下、図２５及び図２６において同様）は、ステップＳ１００１で追加動画画面ボタンＢ２７の操作が行われたか否かを判定する。
【０２６５】
図示は省略しているが、ステップＳ１００１で追加動画画面ボタンＢ２７の操作が行われていないと判定した場合、ユーザ端末１０は、他の各操作の有無を判定し、該当する操作が行われた場合は該操作に応じた処理を実行する。
【０２６６】
ステップＳ１００１で追加動画画面ボタンＢ２７の操作が行われたと判定した場合、ユーザ端末１０はステップＳ１００２に進み追加動画画面Ｇ２３の表示処理を行い、続くステップＳ１００３で撮影開始操作、つまり本例では「撮影開始」ボタンＢ２８が操作されるまで待機する。
【０２６７】
撮影開始操作が行われた場合、ユーザ端末１０はステップＳ１００４に進み撮影処理を行う。すなわち、撮像部１０ａによる撮像動画についての録画処理を行う。
【０２６８】
例えば前述した「撮影終了」ボタンの操作等、所定の終了条件の成立に応じてステップＳ１００４の撮影処理を終了した場合、ユーザ端末１０はステップＳ１００５で追加動画画面Ｇ２３の表示更新処理を行う。つまり本例では、追加動画画面Ｇ２３の表示内容を図２４Ｃで説明した表示内容に更新する。
【０２６９】
ユーザ端末１０は、ステップＳ１００５の表示更新処理を実行したことに応じ、ステップＳ１００６に処理を進める。ユーザ端末１０は、ステップＳ１００６、Ｓ１００７、及びＳ１００７の処理により、「再生」ボタンＢ２９の操作、「再撮影」ボタンＢ３０の操作、「確定」ボタンＢ３１の操作の何れかを待機する。
【０２７０】
ステップＳ１００６で「再生」ボタンＢ２９が操作されたと判定した場合、ユーザ端末１０はステップＳ１００９に進んで再生処理を行った上でステップＳ１００６に戻る。ステップＳ１００９の再生処理としては、録画された追加動画のプレビュー動画ｍａの再生処理を行って追加動画画面Ｇ２３内に表示させる処理を行う。
【０２７１】
また、ステップＳ１００７で「再撮影」ボタンＢ３０が操作されたと判定した場合、ユーザ端末１０はステップＳ１００３に戻って再び撮影開始操作を待機する。これにより、追加動画の録画し直しが可能とされる。
【０２７２】
また、ステップＳ１００８で「確定」ボタンＢ３１が操作されたと判定した場合、ユーザ端末１０はステップＳ１０１０に進んで追加動画フラグを「ＯＮ」とする。
【０２７３】
続いて、図２６の処理を説明する。
この場合のユーザ端末１０は、図１７に示すステップＳ５１０で「確定」ボタンＢ２６が操作されたと判定したことに応じ、図２６に示すステップＳ１１０１において追加動画フラグが「ＯＮ」であるか否かを判定する。
追加動画フラグが「ＯＮ」でなければ、ユーザ端末１０は先の第一実施形態の場合と同様にステップＳ５１２、Ｓ５１３、及びＳ５１４の処理を実行して図１７から図２６に続く一連の処理を終える。
すなわち、この場合は追加動画付きでない視点切替動画がサーバ装置９で生成され、ユーザ端末１０にダウンロードされる。
【０２７４】
一方、追加動画フラグが「ＯＮ」であった場合、ユーザ端末１０はステップＳ１１０２に進み、動画区間ごとの使用動画識別情報及び区間情報と追加動画とをサーバ装置９に送信する処理を行う。ここでの追加動画は、先のステップＳ１００４の撮影処理で録画が行われた最新の動画である。
【０２７５】
この場合のサーバ装置９は、ステップＳ１１０２で送信された使用動画識別情報及び区間情報に基づいて視点切替動画の生成を行うと共に、生成した視点切替動画に追加動画を連結した一つの動画ファイルによる追加動画付き視点切替動画を生成する。
【０２７６】
ステップＳ１１０２に続くステップＳ１１０３でユーザ端末１０は、サーバ装置９からの生成完了通知を待機し、生成完了通知があった場合はステップＳ１１０４で追加動画付き視点切替動画のダウンロード処理を行う。
ステップＳ１１０４の処理を実行したことに応じ、ユーザ端末１０は図１７から図２６に続く一連の処理を終える。
【０２７７】
なお、上記では追加動画は視点切替動画の始点側に連結する例を挙げたが、視点切替動画に対する追加動画の連結位置は任意である。また、該連結位置は、ユーザ操作等に応じて可変とすることもできる。
【０２７８】
また、ユーザ端末１０においても追加動画を視点切替動画（軽量化画像に）と連結するようにし、ユーザ端末１０において追加動画付き視点切替動画についてのプレビュー動画の再生・表示を行うこともできる。
【０２７９】
［4-3．第四実施形態のまとめ］
上記のように第四実施形態の情報処理装置（ユーザ端末１０）においては、指示受付部（指示受付処理部Ｆ１１）は、複数の撮像動画以外の動画を指定する指示を受け付け、指示された動画とランダム選択部による選択結果とが外部装置に送信されるように制御する動画送信制御部（動画送信制御処理部Ｆ１５）を備えている。
【０２８０】
これにより、視点切替動画に対して任意の動画を連結させた動画を外部装置に生成させることが可能とされる。
従って、動画内容の自由度向上を図ることができ、ユーザにとっての有益性を高めることができる。
【０２８１】
また、第四実施形態の情報処理装置においては、被写体を撮像する撮像部（同１０ａ）を備え、指示受付部は、撮像部により撮像された動画のうちから視点切替動画に連結されるべき動画の指定指示を受け付けている。
【０２８２】
これにより、視点切替動画に任意動画を連結させた動画を得るにあたり、ユーザは、連結対象動画を例えばスマートフォン等のカメラ付き携帯端末を用いて手軽に得ることが可能とされる。
従って、ユーザにとっての有益性向上と利便性向上との両立を図ることができる。
【０２８３】
＜５．プログラム＞
以上、本技術に係る情報処理装置の実施形態としての制御端末１、ユーザ端末１０を説明してきたが、実施形態の第一のプログラムは、制御端末１（又は撮像管理端末５）の処理を情報処理装置（ＣＰＵ等）に実行させるプログラムである。
【０２８４】
実施形態の第一のプログラムは、撮像装置による撮像動画における一部の範囲を、ユーザへの配信対象となる動画部分として指定するイン点及びアウト点の情報を取得する情報取得機能と、前記情報取得機能が取得した前記イン点及びアウト点の情報と前記撮像動画とを外部装置に対して送信させる送信制御機能と、を情報処理装置に実現させるプログラムである。
すなわち、このプログラムは、例えば制御端末１等の情報処理装置に図１０等により説明した処理を実行させるプログラムに相当する。
【０２８５】
また、実施形態の第二のプログラムは、異なる撮像視点から被写体を撮像した複数の撮像動画に基づいて撮像視点が経時的に切り替えられる一つの視点切替動画を生成するための指示として、前記撮像視点の切替間隔の指示を受け付ける指示受付機能と、前記切替間隔により区分される前記視点切替動画の各動画区間に用いるべき動画を前記複数の撮像動画のうちからランダムに選択するランダム選択機能と、を情報処理装置に実現させるプログラムである。
すなわち、このプログラムは、例えばユーザ端末１０等のコンピュータ装置に図１７や図１９等により説明した処理を実行させるプログラムに相当するものである。
【０２８６】
上記のような第一、第二のプログラムにより、上述した制御端末１、ユーザ端末１０としての情報処理装置を実現できる。
そして、このようなプログラムはコンピュータ装置等の機器に内蔵されている記憶媒体としてのＨＤＤや、ＣＰＵを有するマイクロコンピュータ内のＲＯＭ等に予め記憶しておくことができる。或いはまた、半導体メモリ、メモリーカード、光ディスク、光磁気ディスク、磁気ディスクなどのリムーバブル記憶媒体に、一時的あるいは永続的に格納（記憶）しておくことができる。またこのようなリムーバブル記憶媒体は、いわゆるパッケージソフトウェアとして提供することができる。
また、このようなプログラムは、リムーバブル記憶媒体からパーソナルコンピュータ等にインストールする他、ダウンロードサイトから、ＬＡＮ、インターネットなどのネットワークを介してダウンロードすることもできる。
【０２８７】
なお、本明細書に記載された効果はあくまでも例示であって限定されるものではなく、また他の効果があってもよい。
【０２８８】
＜６．変形例＞
本技術は上記した具体例に限定されるものではなく、多様な変形例が考えられる。
例えば、上記では本技術がライブ演奏の撮像に適用される例を挙げたが、本技術は、例えば複数の人物が順に講演を行う講演会イベント等、ライブ演奏以外の他の対象についての撮像にも好適に適用できる。
【０２８９】
＜７．第一応用例＞
本開示に係る技術（本技術）は、様々な製品へ応用することができる。例えば、本開示に係る技術は、手術室システムに適用されてもよい。
【０２９０】
図２７は、本開示に係る技術が適用され得る手術室システム５１００の全体構成を概略的に示す図である。図２７を参照すると、手術室システム５１００は、手術室内に設置される装置群が視聴覚コントローラ（AV  Controller）５１０７及び手術室制御装置５１０９を介して互いに連携可能に接続されることにより構成される。
【０２９１】
手術室には、様々な装置が設置され得る。図２７では、一例として、内視鏡下手術のための各種の装置群５１０１と、手術室の天井に設けられ術者の手元を撮像するシーリングカメラ５１８７と、手術室の天井に設けられ手術室全体の様子を撮像する術場カメラ５１８９と、複数の表示装置５１０３Ａ〜５１０３Ｄと、レコーダ５１０５と、患者ベッド５１８３と、照明５１９１と、を図示している。
【０２９２】
ここで、これらの装置のうち、装置群５１０１は、後述する内視鏡手術システム５１１３に属するものであり、内視鏡や当該内視鏡によって撮像された画像を表示する表示装置等からなる。内視鏡手術システム５１１３に属する各装置は医療用機器とも呼称される。一方、表示装置５１０３Ａ〜５１０３Ｄ、レコーダ５１０５、患者ベッド５１８３及び照明５１９１は、内視鏡手術システム５１１３とは別個に、例えば手術室に備え付けられている装置である。これらの内視鏡手術システム５１１３に属さない各装置は非医療用機器とも呼称される。視聴覚コントローラ５１０７及び／又は手術室制御装置５１０９は、これら医療機器及び非医療機器の動作を互いに連携して制御する。
【０２９３】
視聴覚コントローラ５１０７は、医療機器及び非医療機器における画像表示に関する処理を、統括的に制御する。具体的には、手術室システム５１００が備える装置のうち、装置群５１０１、シーリングカメラ５１８７及び術場カメラ５１８９は、手術中に表示すべき情報（以下、表示情報ともいう）を発信する機能を有する装置（以下、発信元の装置とも呼称する）であり得る。また、表示装置５１０３Ａ〜５１０３Ｄは、表示情報が出力される装置（以下、出力先の装置とも呼称する）であり得る。また、レコーダ５１０５は、発信元の装置及び出力先の装置の双方に該当する装置であり得る。視聴覚コントローラ５１０７は、発信元の装置及び出力先の装置の動作を制御し、発信元の装置から表示情報を取得するとともに、当該表示情報を出力先の装置に送信し、表示又は記録させる機能を有する。なお、表示情報とは、手術中に撮像された各種の画像や、手術に関する各種の情報（例えば、患者の身体情報や、過去の検査結果、術式についての情報等）等である。
【０２９４】
具体的には、視聴覚コントローラ５１０７には、装置群５１０１から、表示情報として、内視鏡によって撮像された患者の体腔内の術部の画像についての情報が送信され得る。また、シーリングカメラ５１８７から、表示情報として、当該シーリングカメラ５１８７によって撮像された術者の手元の画像についての情報が送信され得る。また、術場カメラ５１８９から、表示情報として、当該術場カメラ５１８９によって撮像された手術室全体の様子を示す画像についての情報が送信され得る。なお、手術室システム５１００に撮像機能を有する他の装置が存在する場合には、視聴覚コントローラ５１０７は、表示情報として、当該他の装置からも当該他の装置によって撮像された画像についての情報を取得してもよい。
【０２９５】
あるいは、例えば、レコーダ５１０５には、過去に撮像されたこれらの画像についての情報が視聴覚コントローラ５１０７によって記録されている。視聴覚コントローラ５１０７は、表示情報として、レコーダ５１０５から当該過去に撮像された画像についての情報を取得することができる。なお、レコーダ５１０５には、手術に関する各種の情報も事前に記録されていてもよい。
【０２９６】
視聴覚コントローラ５１０７は、出力先の装置である表示装置５１０３Ａ〜５１０３Ｄの少なくともいずれかに、取得した表示情報（すなわち、手術中に撮影された画像や、手術に関する各種の情報）を表示させる。図示する例では、表示装置５１０３Ａは手術室の天井から吊り下げられて設置される表示装置であり、表示装置５１０３Ｂは手術室の壁面に設置される表示装置であり、表示装置５１０３Ｃは手術室内の机上に設置される表示装置であり、表示装置５１０３Ｄは表示機能を有するモバイル機器（例えば、タブレットＰＣ（Personal  Computer））である。
【０２９７】
また、図２７では図示を省略しているが、手術室システム５１００には、手術室の外部の装置が含まれてもよい。手術室の外部の装置は、例えば、病院内外に構築されたネットワークに接続されるサーバや、医療スタッフが用いるＰＣ、病院の会議室に設置されるプロジェクタ等であり得る。このような外部装置が病院外にある場合には、視聴覚コントローラ５１０７は、遠隔医療のために、テレビ会議システム等を介して、他の病院の表示装置に表示情報を表示させることもできる。
【０２９８】
手術室制御装置５１０９は、非医療機器における画像表示に関する処理以外の処理を、統括的に制御する。例えば、手術室制御装置５１０９は、患者ベッド５１８３、シーリングカメラ５１８７、術場カメラ５１８９及び照明５１９１の駆動を制御する。
【０２９９】
手術室システム５１００には、集中操作パネル５１１１が設けられており、ユーザは、当該集中操作パネル５１１１を介して、視聴覚コントローラ５１０７に対して画像表示についての指示を与えたり、手術室制御装置５１０９に対して非医療機器の動作についての指示を与えることができる。集中操作パネル５１１１は、表示装置の表示面上にタッチパネルが設けられて構成される。
【０３００】
図２８は、集中操作パネル５１１１における操作画面の表示例を示す図である。図２８では、一例として、手術室システム５１００に、出力先の装置として、２つの表示装置が設けられている場合に対応する操作画面を示している。図２８を参照すると、操作画面５１９３には、発信元選択領域５１９５と、プレビュー領域５１９７と、コントロール領域５２０１と、が設けられる。
【０３０１】
発信元選択領域５１９５には、手術室システム５１００に備えられる発信元装置と、当該発信元装置が有する表示情報を表すサムネイル画面と、が紐付けられて表示される。ユーザは、表示装置に表示させたい表示情報を、発信元選択領域５１９５に表示されているいずれかの発信元装置から選択することができる。
【０３０２】
プレビュー領域５１９７には、出力先の装置である２つの表示装置（Monitor1、Monitor2）に表示される画面のプレビューが表示される。図示する例では、１つの表示装置において４つの画像がＰｉｎＰ表示されている。当該４つの画像は、発信元選択領域５１９５において選択された発信元装置から発信された表示情報に対応するものである。４つの画像のうち、１つはメイン画像として比較的大きく表示され、残りの３つはサブ画像として比較的小さく表示される。ユーザは、４つの画像が表示された領域を適宜選択することにより、メイン画像とサブ画像を入れ替えることができる。また、４つの画像が表示される領域の下部には、ステータス表示領域５１９９が設けられており、当該領域に手術に関するステータス（例えば、手術の経過時間や、患者の身体情報等）が適宜表示され得る。
【０３０３】
コントロール領域５２０１には、発信元の装置に対して操作を行うためのＧＵＩ（Graphical  User  Interface）部品が表示される発信元操作領域５２０３と、出力先の装置に対して操作を行うためのＧＵＩ部品が表示される出力先操作領域５２０５と、が設けられる。図示する例では、発信元操作領域５２０３には、撮像機能を有する発信元の装置におけるカメラに対して各種の操作（パン、チルト及びズーム）を行うためのＧＵＩ部品が設けられている。ユーザは、これらのＧＵＩ部品を適宜選択することにより、発信元の装置におけるカメラの動作を操作することができる。なお、図示は省略しているが、発信元選択領域５１９５において選択されている発信元の装置がレコーダである場合（すなわち、プレビュー領域５１９７において、レコーダに過去に記録された画像が表示されている場合）には、発信元操作領域５２０３には、当該画像の再生、再生停止、巻き戻し、早送り等の操作を行うためのＧＵＩ部品が設けられ得る。
【０３０４】
また、出力先操作領域５２０５には、出力先の装置である表示装置における表示に対する各種の操作（スワップ、フリップ、色調整、コントラスト調整、２Ｄ表示と３Ｄ表示の切り替え）を行うためのＧＵＩ部品が設けられている。ユーザは、これらのＧＵＩ部品を適宜選択することにより、表示装置における表示を操作することができる。
【０３０５】
なお、集中操作パネル５１１１に表示される操作画面は図示する例に限定されず、ユーザは、集中操作パネル５１１１を介して、手術室システム５１００に備えられる、視聴覚コントローラ５１０７及び手術室制御装置５１０９によって制御され得る各装置に対する操作入力が可能であってよい。
【０３０６】
図２９は、以上説明した手術室システムが適用された手術の様子の一例を示す図である。シーリングカメラ５１８７及び術場カメラ５１８９は、手術室の天井に設けられ、患者ベッド５１８３上の患者５１８５の患部に対して処置を行う術者（医者）５１８１の手元及び手術室全体の様子を撮影可能である。シーリングカメラ５１８７及び術場カメラ５１８９には、倍率調整機能、焦点距離調整機能、撮影方向調整機能等が設けられ得る。照明５１９１は、手術室の天井に設けられ、少なくとも術者５１８１の手元を照射する。照明５１９１は、その照射光量、照射光の波長（色）及び光の照射方向等を適宜調整可能であってよい。
【０３０７】
内視鏡手術システム５１１３、患者ベッド５１８３、シーリングカメラ５１８７、術場カメラ５１８９及び照明５１９１は、図２７に示すように、視聴覚コントローラ５１０７及び手術室制御装置５１０９（図２９では図示せず）を介して互いに連携可能に接続されている。手術室内には、集中操作パネル５１１１が設けられており、上述したように、ユーザは、当該集中操作パネル５１１１を介して、手術室内に存在するこれらの装置を適宜操作することが可能である。
【０３０８】
以下、内視鏡手術システム５１１３の構成について詳細に説明する。図示するように、内視鏡手術システム５１１３は、内視鏡５１１５と、その他の術具５１３１と、内視鏡５１１５を支持する支持アーム装置５１４１と、内視鏡下手術のための各種の装置が搭載されたカート５１５１と、から構成される。
【０３０９】
内視鏡手術では、腹壁を切って開腹する代わりに、トロッカ５１３９ａ〜５１３９ｄと呼ばれる筒状の開孔器具が腹壁に複数穿刺される。そして、トロッカ５１３９ａ〜５１３９ｄから、内視鏡５１１５の鏡筒５１１７や、その他の術具５１３１が患者５１８５の体腔内に挿入される。図示する例では、その他の術具５１３１として、気腹チューブ５１３３、エネルギー処置具５１３５及び鉗子５１３７が、患者５１８５の体腔内に挿入されている。また、エネルギー処置具５１３５は、高周波電流や超音波振動により、組織の切開及び剥離、又は血管の封止等を行う処置具である。ただし、図示する術具５１３１はあくまで一例であり、術具５１３１としては、例えば攝子、レトラクタ等、一般的に内視鏡下手術において用いられる各種の術具が用いられてよい。
【０３１０】
内視鏡５１１５によって撮影された患者５１８５の体腔内の術部の画像が、表示装置５１５５に表示される。術者５１８１は、表示装置５１５５に表示された術部の画像をリアルタイムで見ながら、エネルギー処置具５１３５や鉗子５１３７を用いて、例えば患部を切除する等の処置を行う。なお、図示は省略しているが、気腹チューブ５１３３、エネルギー処置具５１３５及び鉗子５１３７は、手術中に、術者５１８１又は助手等によって支持される。
【０３１１】
（支持アーム装置）
支持アーム装置５１４１は、ベース部５１４３から延伸するアーム部５１４５を備える。図示する例では、アーム部５１４５は、関節部５１４７ａ、５１４７ｂ、５１４７ｃ、及びリンク５１４９ａ、５１４９ｂから構成されており、アーム制御装置５１５９からの制御により駆動される。アーム部５１４５によって内視鏡５１１５が支持され、その位置及び姿勢が制御される。これにより、内視鏡５１１５の安定的な位置の固定が実現され得る。
【０３１２】
（内視鏡）
内視鏡５１１５は、先端から所定の長さの領域が患者５１８５の体腔内に挿入される鏡筒５１１７と、鏡筒５１１７の基端に接続されるカメラヘッド５１１９と、から構成される。図示する例では、硬性の鏡筒５１１７を有するいわゆる硬性鏡として構成される内視鏡５１１５を図示しているが、内視鏡５１１５は、軟性の鏡筒５１１７を有するいわゆる軟性鏡として構成されてもよい。
【０３１３】
鏡筒５１１７の先端には、対物レンズが嵌め込まれた開口部が設けられている。内視鏡５１１５には光源装置５１５７が接続されており、当該光源装置５１５７によって生成された光が、鏡筒５１１７の内部に延設されるライトガイドによって当該鏡筒の先端まで導光され、対物レンズを介して患者５１８５の体腔内の観察対象に向かって照射される。なお、内視鏡５１１５は、直視鏡であってもよいし、斜視鏡又は側視鏡であってもよい。
【０３１４】
カメラヘッド５１１９の内部には光学系及び撮像素子が設けられており、観察対象からの反射光（観察光）は当該光学系によって当該撮像素子に集光される。当該撮像素子によって観察光が光電変換され、観察光に対応する電気信号、すなわち観察像に対応する画像信号が生成される。当該画像信号は、ＲＡＷデータとしてカメラコントロールユニット（ＣＣＵ：Camera  Control  Unit）５１５３に送信される。なお、カメラヘッド５１１９には、その光学系を適宜駆動させることにより、倍率及び焦点距離を調整する機能が搭載される。
【０３１５】
なお、例えば立体視（３Ｄ表示）等に対応するために、カメラヘッド５１１９には撮像素子が複数設けられてもよい。この場合、鏡筒５１１７の内部には、当該複数の撮像素子のそれぞれに観察光を導光するために、リレー光学系が複数系統設けられる。
【０３１６】
（カートに搭載される各種の装置）
ＣＣＵ５１５３は、ＣＰＵ（Central  Processing  Unit）やＧＰＵ（Graphics  Processing  Unit）等によって構成され、内視鏡５１１５及び表示装置５１５５の動作を統括的に制御する。具体的には、ＣＣＵ５１５３は、カメラヘッド５１１９から受け取った画像信号に対して、例えば現像処理（デモザイク処理）等の、当該画像信号に基づく画像を表示するための各種の画像処理を施す。ＣＣＵ５１５３は、当該画像処理を施した画像信号を表示装置５１５５に提供する。また、ＣＣＵ５１５３には、図２７に示す視聴覚コントローラ５１０７が接続される。ＣＣＵ５１５３は、画像処理を施した画像信号を視聴覚コントローラ５１０７にも提供する。また、ＣＣＵ５１５３は、カメラヘッド５１１９に対して制御信号を送信し、その駆動を制御する。当該制御信号には、倍率や焦点距離等、撮像条件に関する情報が含まれ得る。当該撮像条件に関する情報は、入力装置５１６１を介して入力されてもよいし、上述した集中操作パネル５１１１を介して入力されてもよい。
【０３１７】
表示装置５１５５は、ＣＣＵ５１５３からの制御により、当該ＣＣＵ５１５３によって画像処理が施された画像信号に基づく画像を表示する。内視鏡５１１５が例えば４Ｋ（水平画素数３８４０×垂直画素数２１６０）又は８Ｋ（水平画素数７６８０×垂直画素数４３２０）等の高解像度の撮影に対応したものである場合、及び／又は３Ｄ表示に対応したものである場合には、表示装置５１５５としては、それぞれに対応して、高解像度の表示が可能なもの、及び／又は３Ｄ表示可能なものが用いられ得る。４Ｋ又は８Ｋ等の高解像度の撮影に対応したものである場合、表示装置５１５５として５５インチ以上のサイズのものを用いることで一層の没入感が得られる。また、用途に応じて、解像度、サイズが異なる複数の表示装置５１５５が設けられてもよい。
【０３１８】
光源装置５１５７は、例えばＬＥＤ（light  emitting  diode）等の光源から構成され、術部を撮影する際の照射光を内視鏡５１１５に供給する。
【０３１９】
アーム制御装置５１５９は、例えばＣＰＵ等のプロセッサによって構成され、所定のプログラムに従って動作することにより、所定の制御方式に従って支持アーム装置５１４１のアーム部５１４５の駆動を制御する。
【０３２０】
入力装置５１６１は、内視鏡手術システム５１１３に対する入力インタフェースである。ユーザは、入力装置５１６１を介して、内視鏡手術システム５１１３に対して各種の情報の入力や指示入力を行うことができる。例えば、ユーザは、入力装置５１６１を介して、患者の身体情報や、手術の術式についての情報等、手術に関する各種の情報を入力する。また、例えば、ユーザは、入力装置５１６１を介して、アーム部５１４５を駆動させる旨の指示や、内視鏡５１１５による撮像条件（照射光の種類、倍率及び焦点距離等）を変更する旨の指示、エネルギー処置具５１３５を駆動させる旨の指示等を入力する。
【０３２１】
入力装置５１６１の種類は限定されず、入力装置５１６１は各種の公知の入力装置であってよい。入力装置５１６１としては、例えば、マウス、キーボード、タッチパネル、スイッチ、フットスイッチ５１７１及び／又はレバー等が適用され得る。入力装置５１６１としてタッチパネルが用いられる場合には、当該タッチパネルは表示装置５１５５の表示面上に設けられてもよい。
【０３２２】
あるいは、入力装置５１６１は、例えばメガネ型のウェアラブルデバイスやＨＭＤ（Head  Mounted  Display）等の、ユーザによって装着されるデバイスであり、これらのデバイスによって検出されるユーザのジェスチャや視線に応じて各種の入力が行われる。また、入力装置５１６１は、ユーザの動きを検出可能なカメラを含み、当該カメラによって撮像された映像から検出されるユーザのジェスチャや視線に応じて各種の入力が行われる。更に、入力装置５１６１は、ユーザの声を収音可能なマイクロフォンを含み、当該マイクロフォンを介して音声によって各種の入力が行われる。このように、入力装置５１６１が非接触で各種の情報を入力可能に構成されることにより、特に清潔域に属するユーザ（例えば術者５１８１）が、不潔域に属する機器を非接触で操作することが可能となる。また、ユーザは、所持している術具から手を離すことなく機器を操作することが可能となるため、ユーザの利便性が向上する。
【０３２３】
処置具制御装置５１６３は、組織の焼灼、切開又は血管の封止等のためのエネルギー処置具５１３５の駆動を制御する。気腹装置５１６５は、内視鏡５１１５による視野の確保及び術者の作業空間の確保の目的で、患者５１８５の体腔を膨らめるために、気腹チューブ５１３３を介して当該体腔内にガスを送り込む。レコーダ５１６７は、手術に関する各種の情報を記録可能な装置である。プリンタ５１６９は、手術に関する各種の情報を、テキスト、画像又はグラフ等各種の形式で印刷可能な装置である。
【０３２４】
以下、内視鏡手術システム５１１３において特に特徴的な構成について、更に詳細に説明する。
【０３２５】
（支持アーム装置）
支持アーム装置５１４１は、基台であるベース部５１４３と、ベース部５１４３から延伸するアーム部５１４５と、を備える。図示する例では、アーム部５１４５は、複数の関節部５１４７ａ、５１４７ｂ、５１４７ｃと、関節部５１４７ｂによって連結される複数のリンク５１４９ａ、５１４９ｂと、から構成されているが、図２９では、簡単のため、アーム部５１４５の構成を簡略化して図示している。実際には、アーム部５１４５が所望の自由度を有するように、関節部５１４７ａ〜５１４７ｃ及びリンク５１４９ａ、５１４９ｂの形状、数及び配置、並びに関節部５１４７ａ〜５１４７ｃの回転軸の方向等が適宜設定され得る。例えば、アーム部５１４５は、好適に、６自由度以上の自由度を有するように構成され得る。これにより、アーム部５１４５の可動範囲内において内視鏡５１１５を自由に移動させることが可能になるため、所望の方向から内視鏡５１１５の鏡筒５１１７を患者５１８５の体腔内に挿入することが可能になる。
【０３２６】
関節部５１４７ａ〜５１４７ｃにはアクチュエータが設けられており、関節部５１４７ａ〜５１４７ｃは当該アクチュエータの駆動により所定の回転軸まわりに回転可能に構成されている。当該アクチュエータの駆動がアーム制御装置５１５９によって制御されることにより、各関節部５１４７ａ〜５１４７ｃの回転角度が制御され、アーム部５１４５の駆動が制御される。これにより、内視鏡５１１５の位置及び姿勢の制御が実現され得る。この際、アーム制御装置５１５９は、力制御又は位置制御等、各種の公知の制御方式によってアーム部５１４５の駆動を制御することができる。
【０３２７】
例えば、術者５１８１が、入力装置５１６１（フットスイッチ５１７１を含む）を介して適宜操作入力を行うことにより、当該操作入力に応じてアーム制御装置５１５９によってアーム部５１４５の駆動が適宜制御され、内視鏡５１１５の位置及び姿勢が制御されてよい。当該制御により、アーム部５１４５の先端の内視鏡５１１５を任意の位置から任意の位置まで移動させた後、その移動後の位置で固定的に支持することができる。なお、アーム部５１４５は、いわゆるマスタースレイブ方式で操作されてもよい。この場合、アーム部５１４５は、手術室から離れた場所に設置される入力装置５１６１を介してユーザによって遠隔操作され得る。
【０３２８】
また、力制御が適用される場合には、アーム制御装置５１５９は、ユーザからの外力を受け、その外力にならってスムーズにアーム部５１４５が移動するように、各関節部５１４７ａ〜５１４７ｃのアクチュエータを駆動させる、いわゆるパワーアシスト制御を行ってもよい。これにより、ユーザが直接アーム部５１４５に触れながらアーム部５１４５を移動させる際に、比較的軽い力で当該アーム部５１４５を移動させることができる。従って、より直感的に、より簡易な操作で内視鏡５１１５を移動させることが可能となり、ユーザの利便性を向上させることができる。
【０３２９】
ここで、一般的に、内視鏡下手術では、スコピストと呼ばれる医師によって内視鏡５１１５が支持されていた。これに対して、支持アーム装置５１４１を用いることにより、人手によらずに内視鏡５１１５の位置をより確実に固定することが可能になるため、術部の画像を安定的に得ることができ、手術を円滑に行うことが可能になる。
【０３３０】
なお、アーム制御装置５１５９は必ずしもカート５１５１に設けられなくてもよい。また、アーム制御装置５１５９は必ずしも１つの装置でなくてもよい。例えば、アーム制御装置５１５９は、支持アーム装置５１４１のアーム部５１４５の各関節部５１４７ａ〜５１４７ｃにそれぞれ設けられてもよく、複数のアーム制御装置５１５９が互いに協働することにより、アーム部５１４５の駆動制御が実現されてもよい。
【０３３１】
（光源装置）
光源装置５１５７は、内視鏡５１１５に術部を撮影する際の照射光を供給する。光源装置５１５７は、例えばＬＥＤ、レーザ光源又はこれらの組み合わせによって構成される白色光源から構成される。このとき、ＲＧＢレーザ光源の組み合わせにより白色光源が構成される場合には、各色（各波長）の出力強度及び出力タイミングを高精度に制御することができるため、光源装置５１５７において撮像画像のホワイトバランスの調整を行うことができる。また、この場合には、ＲＧＢレーザ光源それぞれからのレーザ光を時分割で観察対象に照射し、その照射タイミングに同期してカメラヘッド５１１９の撮像素子の駆動を制御することにより、ＲＧＢそれぞれに対応した画像を時分割で撮像することも可能である。当該方法によれば、当該撮像素子にカラーフィルタを設けなくても、カラー画像を得ることができる。
【０３３２】
また、光源装置５１５７は、出力する光の強度を所定の時間ごとに変更するようにその駆動が制御されてもよい。その光の強度の変更のタイミングに同期してカメラヘッド５１１９の撮像素子の駆動を制御して時分割で画像を取得し、その画像を合成することにより、いわゆる黒つぶれ及び白とびのない高ダイナミックレンジの画像を生成することができる。
【０３３３】
また、光源装置５１５７は、特殊光観察に対応した所定の波長帯域の光を供給可能に構成されてもよい。特殊光観察では、例えば、体組織における光の吸収の波長依存性を利用して、通常の観察時における照射光（すなわち、白色光）に比べて狭帯域の光を照射することにより、粘膜表層の血管等の所定の組織を高コントラストで撮影する、いわゆる狭帯域光観察（Narrow  Band  Imaging）が行われる。あるいは、特殊光観察では、励起光を照射することにより発生する蛍光により画像を得る蛍光観察が行われてもよい。蛍光観察では、体組織に励起光を照射し当該体組織からの蛍光を観察するもの（自家蛍光観察）、又はインドシアニングリーン（ICG）等の試薬を体組織に局注するとともに当該体組織にその試薬の蛍光波長に対応した励起光を照射し蛍光像を得るもの等が行われ得る。光源装置５１５７は、このような特殊光観察に対応した狭帯域光及び／又は励起光を供給可能に構成され得る。
【０３３４】
（カメラヘッド及びＣＣＵ）
図３０を参照して、内視鏡５１１５のカメラヘッド５１１９及びＣＣＵ５１５３の機能についてより詳細に説明する。図３０は、図２９に示すカメラヘッド５１１９及びＣＣＵ５１５３の機能構成の一例を示すブロック図である。
【０３３５】
図３０を参照すると、カメラヘッド５１１９は、その機能として、レンズユニット５１２１と、撮像部５１２３と、駆動部５１２５と、通信部５１２７と、カメラヘッド制御部５１２９と、を有する。また、ＣＣＵ５１５３は、その機能として、通信部５１７３と、画像処理部５１７５と、制御部５１７７と、を有する。カメラヘッド５１１９とＣＣＵ５１５３とは、伝送ケーブル５１７９によって双方向に通信可能に接続されている。
【０３３６】
まず、カメラヘッド５１１９の機能構成について説明する。レンズユニット５１２１は、鏡筒５１１７との接続部に設けられる光学系である。鏡筒５１１７の先端から取り込まれた観察光は、カメラヘッド５１１９まで導光され、当該レンズユニット５１２１に入射する。レンズユニット５１２１は、ズームレンズ及びフォーカスレンズを含む複数のレンズが組み合わされて構成される。レンズユニット５１２１は、撮像部５１２３の撮像素子の受光面上に観察光を集光するように、その光学特性が調整されている。また、ズームレンズ及びフォーカスレンズは、撮像画像の倍率及び焦点の調整のため、その光軸上の位置が移動可能に構成される。
【０３３７】
撮像部５１２３は撮像素子によって構成され、レンズユニット５１２１の後段に配置される。レンズユニット５１２１を通過した観察光は、当該撮像素子の受光面に集光され、光電変換によって、観察像に対応した画像信号が生成される。撮像部５１２３によって生成された画像信号は、通信部５１２７に提供される。
【０３３８】
撮像部５１２３を構成する撮像素子としては、例えばＣＭＯＳ（Complementary  Metal  Oxide  Semiconductor）タイプのイメージセンサであり、Ｂａｙｅｒ配列を有するカラー撮影可能なものが用いられる。なお、当該撮像素子としては、例えば４Ｋ以上の高解像度の画像の撮影に対応可能なものが用いられてもよい。術部の画像が高解像度で得られることにより、術者５１８１は、当該術部の様子をより詳細に把握することができ、手術をより円滑に進行することが可能となる。
【０３３９】
また、撮像部５１２３を構成する撮像素子は、３Ｄ表示に対応する右目用及び左目用の画像信号をそれぞれ取得するための１対の撮像素子を有するように構成される。３Ｄ表示が行われることにより、術者５１８１は術部における生体組織の奥行きをより正確に把握することが可能になる。なお、撮像部５１２３が多板式で構成される場合には、各撮像素子に対応して、レンズユニット５１２１も複数系統設けられる。
【０３４０】
また、撮像部５１２３は、必ずしもカメラヘッド５１１９に設けられなくてもよい。例えば、撮像部５１２３は、鏡筒５１１７の内部に、対物レンズの直後に設けられてもよい。
【０３４１】
駆動部５１２５は、アクチュエータによって構成され、カメラヘッド制御部５１２９からの制御により、レンズユニット５１２１のズームレンズ及びフォーカスレンズを光軸に沿って所定の距離だけ移動させる。これにより、撮像部５１２３による撮像画像の倍率及び焦点が適宜調整され得る。
【０３４２】
通信部５１２７は、ＣＣＵ５１５３との間で各種の情報を送受信するための通信装置によって構成される。通信部５１２７は、撮像部５１２３から得た画像信号をＲＡＷデータとして伝送ケーブル５１７９を介してＣＣＵ５１５３に送信する。この際、術部の撮像画像を低レイテンシで表示するために、当該画像信号は光通信によって送信されることが好ましい。手術の際には、術者５１８１が撮像画像によって患部の状態を観察しながら手術を行うため、より安全で確実な手術のためには、術部の動画像が可能な限りリアルタイムに表示されることが求められるからである。光通信が行われる場合には、通信部５１２７には、電気信号を光信号に変換する光電変換モジュールが設けられる。画像信号は当該光電変換モジュールによって光信号に変換された後、伝送ケーブル５１７９を介してＣＣＵ５１５３に送信される。
【０３４３】
また、通信部５１２７は、ＣＣＵ５１５３から、カメラヘッド５１１９の駆動を制御するための制御信号を受信する。当該制御信号には、例えば、撮像画像のフレームレートを指定する旨の情報、撮像時の露出値を指定する旨の情報、並びに／又は撮像画像の倍率及び焦点を指定する旨の情報等、撮像条件に関する情報が含まれる。通信部５１２７は、受信した制御信号をカメラヘッド制御部５１２９に提供する。なお、ＣＣＵ５１５３からの制御信号も、光通信によって伝送されてもよい。この場合、通信部５１２７には、光信号を電気信号に変換する光電変換モジュールが設けられ、制御信号は当該光電変換モジュールによって電気信号に変換された後、カメラヘッド制御部５１２９に提供される。
【０３４４】
なお、上記のフレームレートや露出値、倍率、焦点等の撮像条件は、取得された画像信号に基づいてＣＣＵ５１５３の制御部５１７７によって自動的に設定される。つまり、いわゆるＡＥ（Auto  Exposure）機能、ＡＦ（Auto  Focus）機能及びＡＷＢ（Auto  White  Balance）機能が内視鏡５１１５に搭載される。
【０３４５】
カメラヘッド制御部５１２９は、通信部５１２７を介して受信したＣＣＵ５１５３からの制御信号に基づいて、カメラヘッド５１１９の駆動を制御する。例えば、カメラヘッド制御部５１２９は、撮像画像のフレームレートを指定する旨の情報及び／又は撮像時の露光を指定する旨の情報に基づいて、撮像部５１２３の撮像素子の駆動を制御する。また、例えば、カメラヘッド制御部５１２９は、撮像画像の倍率及び焦点を指定する旨の情報に基づいて、駆動部５１２５を介してレンズユニット５１２１のズームレンズ及びフォーカスレンズを適宜移動させる。カメラヘッド制御部５１２９は、更に、鏡筒５１１７やカメラヘッド５１１９を識別するための情報を記憶する機能を備えてもよい。
【０３４６】
なお、レンズユニット５１２１や撮像部５１２３等の構成を、気密性及び防水性が高い密閉構造内に配置することで、カメラヘッド５１１９について、オートクレーブ滅菌処理に対する耐性を持たせることができる。
【０３４７】
次に、ＣＣＵ５１５３の機能構成について説明する。通信部５１７３は、カメラヘッド５１１９との間で各種の情報を送受信するための通信装置によって構成される。通信部５１７３は、カメラヘッド５１１９から、伝送ケーブル５１７９を介して送信される画像信号を受信する。この際、上記のように、当該画像信号は好適に光通信によって送信され得る。この場合、光通信に対応して、通信部５１７３には、光信号を電気信号に変換する光電変換モジュールが設けられる。通信部５１７３は、電気信号に変換した画像信号を画像処理部５１７５に提供する。
【０３４８】
また、通信部５１７３は、カメラヘッド５１１９に対して、カメラヘッド５１１９の駆動を制御するための制御信号を送信する。当該制御信号も光通信によって送信されてよい。
【０３４９】
画像処理部５１７５は、カメラヘッド５１１９から送信されたＲＡＷデータである画像信号に対して各種の画像処理を施す。当該画像処理としては、例えば現像処理、高画質化処理（帯域強調処理、超解像処理、ＮＲ（Noise  reduction）処理及び／又は手ブレ補正処理等）、並びに／又は拡大処理（電子ズーム処理）等、各種の公知の信号処理が含まれる。また、画像処理部５１７５は、ＡＥ、ＡＦ及びＡＷＢを行うための、画像信号に対する検波処理を行う。
【０３５０】
画像処理部５１７５は、ＣＰＵやＧＰＵ等のプロセッサによって構成され、当該プロセッサが所定のプログラムに従って動作することにより、上述した画像処理や検波処理が行われ得る。なお、画像処理部５１７５が複数のＧＰＵによって構成される場合には、画像処理部５１７５は、画像信号に係る情報を適宜分割し、これら複数のＧＰＵによって並列的に画像処理を行う。
【０３５１】
制御部５１７７は、内視鏡５１１５による術部の撮像、及びその撮像画像の表示に関する各種の制御を行う。例えば、制御部５１７７は、カメラヘッド５１１９の駆動を制御するための制御信号を生成する。この際、撮像条件がユーザによって入力されている場合には、制御部５１７７は、当該ユーザによる入力に基づいて制御信号を生成する。あるいは、内視鏡５１１５にＡＥ機能、ＡＦ機能及びＡＷＢ機能が搭載されている場合には、制御部５１７７は、画像処理部５１７５による検波処理の結果に応じて、最適な露出値、焦点距離及びホワイトバランスを適宜算出し、制御信号を生成する。
【０３５２】
また、制御部５１７７は、画像処理部５１７５によって画像処理が施された画像信号に基づいて、術部の画像を表示装置５１５５に表示させる。この際、制御部５１７７は、各種の画像認識技術を用いて術部画像内における各種の物体を認識する。例えば、制御部５１７７は、術部画像に含まれる物体のエッジの形状や色等を検出することにより、鉗子等の術具、特定の生体部位、出血、エネルギー処置具５１３５使用時のミスト等を認識することができる。制御部５１７７は、表示装置５１５５に術部の画像を表示させる際に、その認識結果を用いて、各種の手術支援情報を当該術部の画像に重畳表示させる。手術支援情報が重畳表示され、術者５１８１に提示されることにより、より安全かつ確実に手術を進めることが可能になる。
【０３５３】
カメラヘッド５１１９及びＣＣＵ５１５３を接続する伝送ケーブル５１７９は、電気信号の通信に対応した電気信号ケーブル、光通信に対応した光ファイバ、又はこれらの複合ケーブルである。
【０３５４】
ここで、図示する例では、伝送ケーブル５１７９を用いて有線で通信が行われていたが、カメラヘッド５１１９とＣＣＵ５１５３との間の通信は無線で行われてもよい。両者の間の通信が無線で行われる場合には、伝送ケーブル５１７９を手術室内に敷設する必要がなくなるため、手術室内における医療スタッフの移動が当該伝送ケーブル５１７９によって妨げられる事態が解消され得る。
【０３５５】
以上、本開示に係る技術が適用され得る手術室システム５１００の一例について説明した。なお、ここでは、一例として手術室システム５１００が適用される医療用システムが内視鏡手術システム５１１３である場合について説明したが、手術室システム５１００の構成はかかる例に限定されない。例えば、手術室システム５１００は、内視鏡手術システム５１１３に代えて、検査用軟性内視鏡システムや顕微鏡手術システムに適用されてもよい。
【０３５６】
本開示に係る技術は、以上の構成により実現することのできる手術場の動画編集にも好適に用いられる。この場合、本技術で想定される「ユーザ」としては、例えば術者や医療従事者が該当し、本技術における「撮像装置」としてはカメラヘッド５１１９やシーリングカメラ５１８７、術場カメラ５１８９を用いることが考えられる。
【０３５７】
＜８．第二応用例＞
本開示に係る技術は、様々な製品へ応用することができる。例えば、本開示に係る技術は、自動車、電気自動車、ハイブリッド電気自動車、自動二輪車、自転車、パーソナルモビリティ、飛行機、ドローン、船舶、ロボット等のいずれかの種類の移動体に搭載される装置として実現されてもよい。
【０３５８】
図３１は、本開示に係る技術が適用され得る移動体制御システムの一例である車両制御システムの概略的な構成例を示すブロック図である。
【０３５９】
車両制御システム１２０００は、通信ネットワーク１２００１を介して接続された複数の電子制御ユニットを備える。図３１に示した例では、車両制御システム１２０００は、駆動系制御ユニット１２０１０、ボディ系制御ユニット１２０２０、車外情報検出ユニット１２０３０、車内情報検出ユニット１２０４０、及び統合制御ユニット１２０５０を備える。また、統合制御ユニット１２０５０の機能構成として、マイクロコンピュータ１２０５１、音声画像出力部１２０５２、及び車載ネットワークＩ／Ｆ（Interface）１２０５３が図示されている。
【０３６０】
駆動系制御ユニット１２０１０は、各種プログラムにしたがって車両の駆動系に関連する装置の動作を制御する。例えば、駆動系制御ユニット１２０１０は、内燃機関又は駆動用モータ等の車両の駆動力を発生させるための駆動力発生装置、駆動力を車輪に伝達するための駆動力伝達機構、車両の舵角を調節するステアリング機構、及び、車両の制動力を発生させる制動装置等の制御装置として機能する。
【０３６１】
ボディ系制御ユニット１２０２０は、各種プログラムにしたがって車体に装備された各種装置の動作を制御する。例えば、ボディ系制御ユニット１２０２０は、キーレスエントリシステム、スマートキーシステム、パワーウィンドウ装置、あるいは、ヘッドランプ、バックランプ、ブレーキランプ、ウィンカー又はフォグランプ等の各種ランプの制御装置として機能する。この場合、ボディ系制御ユニット１２０２０には、鍵を代替する携帯機から発信される電波又は各種スイッチの信号が入力され得る。ボディ系制御ユニット１２０２０は、これらの電波又は信号の入力を受け付け、車両のドアロック装置、パワーウィンドウ装置、ランプ等を制御する。
【０３６２】
車外情報検出ユニット１２０３０は、車両制御システム１２０００を搭載した車両の外部の情報を検出する。例えば、車外情報検出ユニット１２０３０には、撮像部１２０３１が接続される。車外情報検出ユニット１２０３０は、撮像部１２０３１に車外の画像を撮像させるとともに、撮像された画像を受信する。車外情報検出ユニット１２０３０は、受信した画像に基づいて、人、車、障害物、標識又は路面上の文字等の物体検出処理又は距離検出処理を行ってもよい。
【０３６３】
撮像部１２０３１は、光を受光し、その光の受光量に応じた電気信号を出力する光センサである。撮像部１２０３１は、電気信号を画像として出力することもできるし、測距の情報として出力することもできる。また、撮像部１２０３１が受光する光は、可視光であっても良いし、赤外線等の非可視光であっても良い。
【０３６４】
車内情報検出ユニット１２０４０は、車内の情報を検出する。車内情報検出ユニット１２０４０には、例えば、運転者の状態を検出する運転者状態検出部１２０４１が接続される。運転者状態検出部１２０４１は、例えば運転者を撮像するカメラを含み、車内情報検出ユニット１２０４０は、運転者状態検出部１２０４１から入力される検出情報に基づいて、運転者の疲労度合い又は集中度合いを算出してもよいし、運転者が居眠りをしていないかを判別してもよい。
【０３６５】
マイクロコンピュータ１２０５１は、車外情報検出ユニット１２０３０又は車内情報検出ユニット１２０４０で取得される車内外の情報に基づいて、駆動力発生装置、ステアリング機構又は制動装置の制御目標値を演算し、駆動系制御ユニット１２０１０に対して制御指令を出力することができる。例えば、マイクロコンピュータ１２０５１は、車両の衝突回避あるいは衝撃緩和、車間距離に基づく追従走行、車速維持走行、車両の衝突警告、又は車両のレーン逸脱警告等を含むＡＤＡＳ（Advanced Driver Assistance System）の機能実現を目的とした協調制御を行うことができる。
【０３６６】
また、マイクロコンピュータ１２０５１は、車外情報検出ユニット１２０３０又は車内情報検出ユニット１２０４０で取得される車両の周囲の情報に基づいて駆動力発生装置、ステアリング機構又は制動装置等を制御することにより、運転者の操作に拠らずに自律的に走行する自動運転等を目的とした協調制御を行うことができる。
【０３６７】
また、マイクロコンピュータ１２０５１は、車外情報検出ユニット１２０３０で取得される車外の情報に基づいて、ボディ系制御ユニット１２０３０に対して制御指令を出力することができる。例えば、マイクロコンピュータ１２０５１は、車外情報検出ユニット１２０３０で検知した先行車又は対向車の位置に応じてヘッドランプを制御し、ハイビームをロービームに切り替える等の防眩を図ることを目的とした協調制御を行うことができる。
【０３６８】
音声画像出力部１２０５２は、車両の搭乗者又は車外に対して、視覚的又は聴覚的に情報を通知することが可能な出力装置へ音声及び画像のうちの少なくとも一方の出力信号を送信する。図３１の例では、出力装置として、オーディオスピーカ１２０６１、表示部１２０６２及びインストルメントパネル１２０６３が例示されている。表示部１２０６２は、例えば、オンボードディスプレイ及びヘッドアップディスプレイの少なくとも一つを含んでいてもよい。
【０３６９】
図３２は、撮像部１２０３１の設置位置の例を示す図である。
【０３７０】
図３２では、撮像部１２０３１として、撮像部１２１０１、１２１０２、１２１０３、１２１０４、１２１０５を有する。
【０３７１】
撮像部１２１０１、１２１０２、１２１０３、１２１０４、１２１０５は、例えば、車両１２１００のフロントノーズ、サイドミラー、リアバンパ、バックドア及び車室内のフロントガラスの上部等の位置に設けられる。フロントノーズに備えられる撮像部１２１０１及び車室内のフロントガラスの上部に備えられる撮像部１２１０５は、主として車両１２１００の前方の画像を取得する。サイドミラーに備えられる撮像部１２１０２、１２１０３は、主として車両１２１００の側方の画像を取得する。リアバンパ又はバックドアに備えられる撮像部１２１０４は、主として車両１２１００の後方の画像を取得する。車室内のフロントガラスの上部に備えられる撮像部１２１０５は、主として先行車両又は、歩行者、障害物、信号機、交通標識又は車線等の検出に用いられる。
【０３７２】
なお、図３２には、撮像部１２１０１ないし１２１０４の撮影範囲の一例が示されている。撮像範囲１２１１１は、フロントノーズに設けられた撮像部１２１０１の撮像範囲を示し、撮像範囲１２１１２，１２１１３は、それぞれサイドミラーに設けられた撮像部１２１０２，１２１０３の撮像範囲を示し、撮像範囲１２１１４は、リアバンパ又はバックドアに設けられた撮像部１２１０４の撮像範囲を示す。例えば、撮像部１２１０１ないし１２１０４で撮像された画像データが重ね合わせられることにより、車両１２１００を上方から見た俯瞰画像が得られる。
【０３７３】
撮像部１２１０１ないし１２１０４の少なくとも１つは、距離情報を取得する機能を有していてもよい。例えば、撮像部１２１０１ないし１２１０４の少なくとも１つは、複数の撮像素子からなるステレオカメラであってもよいし、位相差検出用の画素を有する撮像素子であってもよい。
【０３７４】
例えば、マイクロコンピュータ１２０５１は、撮像部１２１０１ないし１２１０４から得られた距離情報を基に、撮像範囲１２１１１ないし１２１１４内における各立体物までの距離と、この距離の時間的変化（車両１２１００に対する相対速度）を求めることにより、特に車両１２１００の進行路上にある最も近い立体物で、車両１２１００と略同じ方向に所定の速度（例えば、０km/h以上）で走行する立体物を先行車として抽出することができる。さらに、マイクロコンピュータ１２０５１は、先行車の手前に予め確保すべき車間距離を設定し、自動ブレーキ制御（追従停止制御も含む）や自動加速制御（追従発進制御も含む）等を行うことができる。このように運転者の操作に拠らずに自律的に走行する自動運転等を目的とした協調制御を行うことができる。
【０３７５】
例えば、マイクロコンピュータ１２０５１は、撮像部１２１０１ないし１２１０４から得られた距離情報を元に、立体物に関する立体物データを、２輪車、普通車両、大型車両、歩行者、電柱等その他の立体物に分類して抽出し、障害物の自動回避に用いることができる。例えば、マイクロコンピュータ１２０５１は、車両１２１００の周辺の障害物を、車両１２１００のドライバが視認可能な障害物と視認困難な障害物とに識別する。そして、マイクロコンピュータ１２０５１は、各障害物との衝突の危険度を示す衝突リスクを判断し、衝突リスクが設定値以上で衝突可能性がある状況であるときには、オーディオスピーカ１２０６１や表示部１２０６２を介してドライバに警報を出力することや、駆動系制御ユニット１２０１０を介して強制減速や回避操舵を行うことで、衝突回避のための運転支援を行うことができる。
【０３７６】
撮像部１２１０１ないし１２１０４の少なくとも１つは、赤外線を検出する赤外線カメラであってもよい。例えば、マイクロコンピュータ１２０５１は、撮像部１２１０１ないし１２１０４の撮像画像中に歩行者が存在するか否かを判定することで歩行者を認識することができる。かかる歩行者の認識は、例えば赤外線カメラとしての撮像部１２１０１ないし１２１０４の撮像画像における特徴点を抽出する手順と、物体の輪郭を示す一連の特徴点にパターンマッチング処理を行って歩行者か否かを判別する手順によって行われる。マイクロコンピュータ１２０５１が、撮像部１２１０１ないし１２１０４の撮像画像中に歩行者が存在すると判定し、歩行者を認識すると、音声画像出力部１２０５２は、当該認識された歩行者に強調のための方形輪郭線を重畳表示するように、表示部１２０６２を制御する。また、音声画像出力部１２０５２は、歩行者を示すアイコン等を所望の位置に表示するように表示部１２０６２を制御してもよい。
【０３７７】
以上、本開示に係る技術が適用され得る車両制御システムの一例について説明した。本開示に係る技術は、ドライブレコーダの動画編集にも好適に用いられる。この場合、本技術で想定される「ユーザ」としては、例えば運転者や自動車保険等の保険業者が該当し、本技術における「撮像装置」としては撮像部１２１０１〜１２１０４の少なくとも何れかを用いることが考えられる。
【０３７８】
＜９．本技術＞
なお本技術は以下のような構成も採ることができる。
（１）
撮像装置による撮像動画における一部の範囲を、ユーザへの配信対象となる動画部分として指定するイン点及びアウト点の情報を取得する情報取得部と、
前記情報取得部が取得した前記イン点及びアウト点の情報と前記撮像動画とを外部装置に対して送信させる送信制御部と、を備える
情報処理装置。
（２）
前記送信制御部は、
前記撮像動画として、複数の撮像装置による複数の撮像動画を前記外部装置に対して送信させる
前記（１）に記載の情報処理装置。
（３）
前記送信制御部は、
前記動画部分と、前記動画部分を識別するための動画部分識別情報とを対応付けて前記外部装置に対して送信させる
前記（１）又は（２）に記載の情報処理装置。
（４）
前記情報取得部は、
前記動画部分の配信対象者を識別するための対象者識別情報を取得し、
前記送信制御部は、
前記動画部分識別情報と前記対象者識別情報とを対応付けて前記外部装置に対して送信させる
前記（３）に記載の情報処理装置。
（５）
前記情報取得部は、
前記イン点及びアウト点の情報として、前記撮像動画における異なる複数の前記動画部分をそれぞれ指定する複数組の前記イン点及びアウト点の情報を取得すると共に、前記動画部分ごとの前記対象者識別情報を取得し、
前記送信制御部は、
前記対象者識別情報が取得された前記動画部分ごとに、前記動画部分識別情報と前記対象者識別情報とを対応付けて前記外部装置に対して送信させる
前記（４）に記載の情報処理装置。
（６）
前記撮像動画中における前記動画部分の時間軸上での位置を表す視覚情報と、前記撮像動画中の時間軸上の位置を指示するためのポインタと、前記ポインタが指示する位置を前記イン点の位置として指示するためのイン点指示操作子と、前記ポインタが指示する位置を前記アウト点の位置として指示するためのアウト点指示操作子とを画面上に表示させる情報表示制御部を備え、
前記情報表示制御部は、
前記視覚情報における前記動画部分を表す表示領域のうち前記イン点に近い領域と前記アウト点に近い領域とで表示態様を異ならせると共に、前記イン点に近い領域と前記イン点指示操作子の表示態様と、前記アウト点に近い領域と前記アウト点指示操作子の表示態様をそれぞれ一致させる
前記（１）乃至（５）の何れかに記載の情報処理装置。
（７）
前記撮像動画に対するアウト点の指示が行われたことに応じて、当該指示されたアウト点に対応する前記動画部分についての購入情報入力フォームの生成指示を行う入力フォーム生成指示部を備える
前記（１）乃至（６）の何れかに記載の情報処理装置。
（８）
異なる撮像視点から被写体を撮像した複数の撮像動画に基づいて撮像視点が経時的に切り替えられる一つの視点切替動画を生成するための指示として、前記撮像視点の切替間隔の指示を受け付ける指示受付部と、
前記切替間隔により区分される前記視点切替動画の各動画区間に用いるべき動画を前記複数の撮像動画のうちからランダムに選択するランダム選択部と、を備える
情報処理装置。
（９）
前記指示受付部は、
前記視点切替動画として生成すべき動画の全体時間長の指示を受け付けると共に、
指示された前記全体時間長に基づいて計算した前記切替間隔の情報をユーザに提示する
前記（８）に記載の情報処理装置。
（１０）
前記撮像動画には音情報が付帯され、
前記指示受付部は、
前記音情報の音特性に基づいて計算した前記切替間隔の情報をユーザに提示する
前記（８）又は（９）に記載の情報処理装置。
（１１）
前記ランダム選択部は、
前記視点切替動画の各動画区間に用いるべき動画の少なくとも一つとして前記撮像動画の一部の画素領域を拡大した拡大動画を選択する
前記（８）乃至（１０）の何れかに記載の情報処理装置。
（１２）
前記ランダム選択部は、
前記視点切替動画の各動画区間に用いるべき動画として前記拡大動画を用いるか否かをランダムに選択する
前記（１１）に記載の情報処理装置。
（１３）
前記指示受付部は、
前記ランダム選択部による前記選択の再実行指示の受け付けを行う
前記（８）乃至（１２）の何れかに記載の情報処理装置。
（１４）
前記指示受付部は、
前記複数の撮像動画以外の動画を指定する指示を受け付け、
前記指示された動画と前記ランダム選択部による選択結果とが外部装置に送信されるように制御する動画送信制御部を備える
前記（８）乃至（１３）の何れかに記載の情報処理装置。
（１５）
被写体を撮像する撮像部を備え、
前記指示受付部は、
前記撮像部により撮像された動画のうちから前記視点切替動画に連結されるべき動画の指定指示を受け付ける
前記（１４）に記載の情報処理装置。
（１６）
外部装置からデータ軽量化処理の施された前記複数の撮像動画を取得する撮像動画取得部と、
前記データ軽量化処理の施された前記複数の撮像動画に基づき、前記ランダム選択部による選択結果に従った前記視点切替動画の表示制御を行う動画表示制御部と、を備える
前記（８）乃至（１５）の何れかに記載の情報処理装置。
【符号の説明】
【０３７９】
１  制御端末、２  撮像装置、５  撮像管理端末、９  サーバ装置、１０  ユーザ端末、１０ａ  撮像部、Ｇ１５  修正操作画面、ｉｐ  プレビュー画像、ａｗ  波形情報、ｂａ  全長バー、ｂｐ  動画部分表示バー、ＳＬ  スライダ、Ｂ５  対象選択ボタン、Ｂ６  「イン点設定」ボタン、Ｂ７  「アウト点設定」ボタン、Ｇ１８  購入情報入力画面、Ｇ１９  購入確定画面、Ｆ１  情報取得処理部、Ｆ２  送信制御処理部、Ｆ３  情報表示制御処理部、Ｆ４  入力フォーム生成指示処理部、Ｇ２１  編集画面、Ｇ２３  追加動画画面、Ｆ１１  指示受付処理部、Ｆ１２  ランダム選択処理部、Ｆ１３  撮像動画取得処理部、Ｆ１４  動画表示制御処理部、Ｆ１５  動画送信制御処理部
【図１】
2018159054.tif 000003
【図２】
2018159054.tif 000004
【図３】
2018159054.tif 000005
【図４】
2018159054.tif 000006
【図５】
2018159054.tif 000007
【図６】
2018159054.tif 000008
【図７】
2018159054.tif 000009
【図８】
2018159054.tif 000010
【図９】
2018159054.tif 000011
【図１０】
2018159054.tif 000012
【図１１】
2018159054.tif 000013
【図１２】
2018159054.tif 000014
【図１３】
2018159054.tif 000015
【図１４】
2018159054.tif 000016
【図１５】
2018159054.tif 000017
【図１６】
2018159054.tif 000018
【図１７】
2018159054.tif 000019
【図１８】
2018159054.tif 000020
【図１９】
2018159054.tif 000021
【図２０】
2018159054.tif 000022
【図２１】
2018159054.tif 000023
【図２２】
2018159054.tif 000024
【図２３】
2018159054.tif 000025
【図２４】
2018159054.tif 000026
【図２５】
2018159054.tif 000027
【図２６】
2018159054.tif 000028
【図２７】
2018159054.tif 000029
【図２８】
2018159054.tif 000030
【図２９】
2018159054.tif 000031
【図３０】
2018159054.tif 000032
【図３１】
2018159054.tif 000033
【図３２】
2018159054.tif 000034
【国際調査報告】
2018159054.tif 000035
2018159054.tif 000036
2018159054.tif 000037
2018159054.tif 000038
2018159054.tif 000039
2018159054.tif 000040
2018159054.tif 000041
2018159054.tif 000042
2018159054.tif 000043
2018159054.tif 000044